(57)【要約】  本発明は、マンマシン対話方法、デバイス、及びグラフィカルユーザインタフェースを開示する。本方法は、少なくとも１つのアイコンをディスプレイ装置に電子デバイスによって表示する段階であって、少なくとも１つのショートカット機能は少なくとも１つのアイコンのうち第１のアイコンによってマークされた第１のソフトウェアプログラム用に事前設定される、段階と、第１のアイコンに加えられた第１の加圧入力を感圧面で電子デバイスによって検出する段階と、第１の加圧入力が第１の事前設定条件を満たしていると判定された場合、少なくとも１つのショートカット機能に関する情報を電子デバイスによって決定する段階と、第１の加圧入力を検出した後に、第１のアイコンに加えられた第２の加圧入力を電子デバイスによって継続して検出する段階と、第２の加圧入力が第２の事前設定条件を満たしていると電子デバイスが判定した場合、少なくとも１つのショートカット機能のうちデフォルトのショートカット機能を作動させる段階とを含む。これにより、複数回の選択の間に引き起こされる誤操作を回避でき、さらにデフォルトのショートカット機能を有効にするスピードを上げることができるので、ユーザ体験を向上させることができる。
2019508818.tif 000002
【特許請求の範囲】
【請求項１】
ディスプレイ装置と感圧面とを有する電子デバイスに適用されるマンマシン対話の方法であって、前記電子デバイスは前記感圧面に対するタッチの強度を検出する１つ又は複数のセンサを有し、前記方法は、
前記ディスプレイ装置に少なくとも１つのアイコンを前記電子デバイスによって表示する段階であって、前記少なくとも１つのアイコンのうち第１のアイコンでマークされた第１のソフトウェアプログラム用に少なくとも１つのショートカット機能が事前設定される、段階と、
前記第１のアイコンに加えられた第１の加圧入力を前記感圧面上で前記電子デバイスによって検出する段階と、
前記第１の加圧入力が第１の事前設定条件を満たしていると判定した場合、前記少なくとも１つのショートカット機能に関する情報を前記電子デバイスによって決定する段階と、
前記第１の加圧入力を検出した後に、前記第１のアイコンに加えられた第２の加圧入力を前記電子デバイスによって継続して検出する段階と、
前記第２の加圧入力が第２の事前設定条件を満たしていると前記電子デバイスが判定した場合、前記少なくとも１つのショートカット機能のうちデフォルトのショートカット機能を作動させる段階と
を備える、方法。
【請求項２】
前記第１の加圧入力が第１の事前設定条件を満たしていると判定した場合、前記少なくとも１つのショートカット機能に関する情報を前記電子デバイスによって決定する前記段階は、
前記第１の加圧入力の圧力値が第１の事前設定期間内に第１の閾値に達したと前記電子デバイスが判定した場合、前記少なくとも１つのショートカット機能に関する前記情報を決定する段階を有し、
前記第１の事前設定期間は第１の時点と第２の時点との間の時間間隔であり、前記第１の時点は前記第１のアイコンに加えられた前記第１の加圧入力の前記圧力値を前記電子デバイスが検出し始める時間である、請求項１に記載の方法。
【請求項３】
前記第１の加圧入力が第１の事前設定条件を満たしていると判定した場合、前記少なくとも１つのショートカット機能に関する情報を前記電子デバイスによって決定する前記段階は、
前記第１の加圧入力の圧力値が第１の事前設定期間内に第３の閾値から第１の閾値までの範囲に少なくとも２回入ったと前記電子デバイスが判定した場合、前記少なくとも１つのショートカット機能に関する前記情報を決定する段階を有し、
前記第１の事前設定期間は第１の時点と第２の時点との間の時間間隔であり、前記第１の時点は前記第１のアイコンに加えられた前記第１の加圧入力の前記圧力値を前記電子デバイスが検出し始める時間であり、前記第１の閾値は前記第３の閾値より大きい、請求項１に記載の方法。
【請求項４】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が前記第１の事前設定期間内に第２の閾値に達したことを前記電子デバイスが検出した場合、前記少なくとも１つのショートカット機能のうち前記デフォルトのショートカット機能を作動させる段階を有し、
前記第２の閾値は前記第１の閾値より大きい、請求項２又は３に記載の方法。
【請求項５】
前記第２の加圧入力の圧力値が前記第１の事前設定期間内に第２の閾値に達したことを前記電子デバイスが検出した場合、前記少なくとも１つのショートカット機能のうち前記デフォルトのショートカット機能を作動させる前記段階は、
前記第２の加圧入力の前記圧力値が前記第１の事前設定期間内に前記第２の閾値に達したことを前記電子デバイスが検出した場合、前記第１のアイコンに加えられた前記第２の加圧入力の前記圧力値を第２の事前設定期間の間に前記電子デバイスによって継続して検出する段階と、
前記第２の加圧入力の検出された前記圧力値が前記第２の事前設定期間の間に常に前記第２の閾値より大きい又はそれに等しいと前記電子デバイスが判定した場合、前記少なくとも１つのショートカット機能のうち前記デフォルトのショートカット機能を作動させる段階とを有し、
前記第２の事前設定期間は、第３の時点と第４の時点との間の時間間隔であり、前記第３の時点は前記第２の加圧入力の前記圧力値が前記第２の閾値に達する時間である、請求項４に記載の方法。
【請求項６】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が第４の閾値に達したことを前記電子デバイスが検出した場合、前記少なくとも１つのショートカット機能のうち前記デフォルトのショートカット機能を作動させる段階を含み、
前記第４の閾値は前記第１の閾値より大きい、請求項２又は３に記載の方法。
【請求項７】
前記第２の加圧入力の圧力値が前記第１の事前設定期間内に第２の閾値に達したことを前記電子デバイスが検出した場合、前記少なくとも１つのショートカット機能のうち前記デフォルトのショートカット機能を作動させる前記段階は、
前記第２の加圧入力の前記圧力値が第５の閾値より大きい又はそれに等しく且つ前記第４の閾値より小さいことを前記電子デバイスが検出した場合、
前記第１のアイコンに加えられた前記第２の加圧入力の前記圧力値が次の第３の事前設定期間の間に常に前記第５の閾値より大きい又はそれに等しく且つ前記第４の閾値より小さいかどうかを前記電子デバイスによって判定する段階と、
前記第１のアイコンに加えられた前記第２の加圧入力の前記圧力値が前記第３の事前設定期間の間に常に前記第５の閾値より大きい又はそれに等しく且つ前記第４の閾値より小さい場合、前記少なくとも１つのショートカット機能のうち前記デフォルトのショートカット機能を作動させる段階とを有し、
前記第４の閾値は前記第５の閾値より大きい、請求項６に記載の方法。
【請求項８】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が前記第３の閾値から前記第１の閾値までの範囲に少なくとも２回入り、且つ前記少なくとも２回の間の時間間隔が事前設定された２段階加圧時間条件を満たしていると前記電子デバイスが判定した場合、前記少なくとも１つのショートカット機能のうち前記デフォルトのショートカット機能を作動させる段階を有し、
前記第１の閾値は前記第３の閾値より大きい、請求項２又は３に記載の方法。
【請求項９】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の前記圧力値が第６の閾値より小さいと前記電子デバイスが判定した場合、前記第２の加圧入力の前記圧力値を前記電子デバイスによって継続して検出する段階と、
前記第２の加圧入力の前記圧力値が第７の閾値に達したと前記電子デバイスが判定した場合、前記少なくとも１つのショートカット機能のうち前記デフォルト機能を作動させる段階とを有し、
前記第６の閾値は前記第１の閾値より小さく、前記第７の閾値は前記第１の閾値より大きい、請求項２又は３に記載の方法。
【請求項１０】
前記第１の加圧入力が第１の事前設定条件を満たしていると判定した場合、前記少なくとも１つのショートカット機能に関する情報を前記電子デバイスによって決定する前記段階は、
前記第１の加圧入力の圧力値が第２の閾値より大きい又はそれに等しいかどうかを前記電子デバイスによって判定し、前記第１の加圧入力の前記圧力値が前記第２の閾値より大きい又はそれに等しい場合、前記少なくとも１つのショートカット機能に関する前記情報を決定する段階を有し、
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が第４の事前設定期間の間に常に前記第２の閾値より大きい又はそれに等しいかどうかを前記電子デバイスによって判定し、前記第１のアイコンに加えられた前記第２の加圧入力の前記圧力値が前記第４の事前設定期間の間に常に前記第２の閾値より大きい又はそれに等しい場合、前記少なくとも１つのショートカット機能のうち前記デフォルトのショートカット機能を作動させる段階を有する、請求項１に記載の方法。
【請求項１１】
前記第１の加圧入力が第１の事前設定条件を満たしていると判定した場合、前記少なくとも１つのショートカット機能に関する情報を前記電子デバイスによって決定する前記段階の後に、前記方法はさらに、
前記デフォルトのショートカット機能に関する情報を対象としたマークを表示して、前記少なくとも１つのショートカット機能のそれぞれに関する情報を前記電子デバイスによって前記ディスプレイ装置に表示する段階を備え、これにより、前記デフォルトのショートカット機能に関する前記情報の表示が別のショートカット機能に関する情報の表示とは異なる、請求項１から１０のいずれか一項に記載の方法。
【請求項１２】
前記デフォルトのショートカット機能に関する情報を対象としたマークを表示する前記段階は、
前記デフォルトのショートカット機能に関する前記情報のみに前記電子デバイスによってマークアイコンを追加する段階を有し、
前記少なくとも１つのショートカット機能のそれぞれに関する情報を前記電子デバイスによって前記ディスプレイ装置に表示する前記段階の後に、前記方法はさらに、
ユーザが前記マークアイコンの位置を変更したことを前記電子デバイスが検出した場合、変更された前記マークアイコンの位置に対応するショートカット機能を前記デフォルトのショートカット機能と判定する段階を備える、請求項１１に記載の方法。
【請求項１３】
電子デバイスであって、前記電子デバイスは、ディスプレイ装置と、感圧面と、センサと、プロセッサとを備え、少なくとも１つのアイコンが前記ディスプレイ装置に表示され、少なくとも１つのショートカット機能が前記少なくとも１つのアイコンのうち第１のアイコンによってマークされた第１のソフトウェアプログラム用に事前設定され、
前記センサは、前記第１のアイコンに加えられた加圧入力を前記感圧面で検出するように構成され、
前記プロセッサは、前記センサによって検出された前記第１の加圧入力が第１の事前設定条件を満たしていると判定した場合、前記少なくとも１つのショートカット機能に関する情報を決定し、第２の加圧入力が第２の事前設定条件を満たしていると判定した場合、前記少なくとも１つのショートカット機能のうちデフォルトのショートカット機能を作動させるように構成され、前記第２の加圧入力は、前記第１の加圧入力の後に前記第１のアイコンに加えられ、前記センサによって検出される加圧入力である、電子デバイス。
【請求項１４】
前記プロセッサは具体的に、
前記第１の加圧入力の圧力値が第１の事前設定期間内に第１の閾値に達した場合、前記少なくとも１つのショートカット機能に関する前記情報を決定するように構成され、
前記第１の事前設定期間は第１の時点と第２の時点との間の時間間隔であり、前記第１の時点は前記第１のアイコンに加えられた前記第１の加圧入力の前記圧力値を前記センサが検出し始める時間である、請求項１３に記載の電子デバイス。
【請求項１５】
前記プロセッサはさらに具体的に、
前記第１の加圧入力の圧力値が第１の事前設定期間内に第３の閾値から第１の閾値までの範囲に少なくとも２回入ったと判定した場合、前記少なくとも１つのショートカット機能に関する前記情報を決定するように構成され、
前記第１の事前設定期間は第１の時点と第２の時点との間の時間間隔であり、前記第１の時点は前記第１のアイコンに加えられた前記第１の加圧入力の前記圧力値を前記センサが検出し始める時間であり、前記第１の閾値は前記第３の閾値より大きい、請求項１３に記載の電子デバイス。
【請求項１６】
前記プロセッサはさらに具体的に、
前記第２の加圧入力の圧力値が前記第１の事前設定期間内に第２の閾値に達したことを前記センサが検出した場合、前記少なくとも１つのショートカット機能のうち前記デフォルトのショートカット機能を作動させるように構成され、
前記第２の閾値は前記第１の閾値より大きい、請求項１４又は１５に記載の電子デバイス。
【請求項１７】
前記プロセッサは具体的に、前記第２の加圧入力の前記圧力値が前記第１の事前設定期間内に前記第２の閾値に達したことを前記センサが検出した場合、前記第１のアイコンに加えられた前記第２の加圧入力の前記圧力値を第２の事前設定期間の間に継続して検出し、前記センサによって検出された前記第２の加圧入力の前記圧力値が前記第２の事前設定期間の間に常に前記第２の閾値より大きい又はそれに等しいと判定した場合、前記少なくとも１つのショートカット機能のうち前記デフォルトのショートカット機能を作動させるように構成され、前記第２の事前設定期間は第３の時点と第４の時点との間の時間間隔であり、前記第３の時点は前記第２の加圧入力の前記圧力値が前記第２の閾値に達する時間である、請求項１６に記載の電子デバイス。
【請求項１８】
前記プロセッサはさらに具体的に、
前記第２の加圧入力の前記圧力値が第４の閾値に達したことを検出した場合、前記少なくとも１つのショートカット機能のうち前記デフォルトのショートカット機能を作動させるように構成され、
前記第４の閾値は前記第１の閾値より大きい、請求項１４又は１５に記載の電子デバイス。
【請求項１９】
前記プロセッサはさらに具体的に、
前記第２の加圧入力の前記圧力値が第５の閾値より大きい又はそれに等しく且つ前記第４の閾値より小さいことを検出した場合、
前記第１のアイコンに加えられた前記第２の加圧入力の前記圧力値が次の第３の事前設定期間の間に常に前記第５の閾値より大きい又はそれに等しく且つ前記第４の閾値より小さいかどうかを判定し、
前記第１のアイコンに加えられた前記第２の加圧入力の前記圧力値が前記第３の事前設定期間の間に常に前記第５の閾値より大きい又はそれに等しく且つ前記第４の閾値より小さい場合、前記少なくとも１つのショートカット機能のうち前記デフォルトのショートカット機能を作動させるように構成され、
前記第４の閾値は前記第５の閾値より大きい、請求項１８に記載の電子デバイス。
【請求項２０】
前記プロセッサはさらに具体的に、
前記第２の加圧入力の圧力値が前記第３の閾値から前記第１の閾値までの範囲に少なくとも２回入り、且つ前記少なくとも２回の間の時間間隔が事前設定された２段階加圧時間条件を満たしていると前記電子デバイスが判定した場合、前記少なくとも１つのショートカット機能のうち前記デフォルトのショートカット機能を作動させるように構成され、
前記第１の閾値は前記第３の閾値より大きい、請求項１４又は１５に記載の電子デバイス。
【請求項２１】
前記プロセッサはさらに具体的に、
前記第２の加圧入力の前記圧力値が第６の閾値より小さいと判定した場合、前記センサによって検出された前記第２の加圧入力の前記圧力値を継続して判定し、前記第２の加圧入力の前記圧力値が第７の閾値に達したと判定した場合、前記少なくとも１つのショートカット機能のうち前記デフォルト機能を作動させるように構成され、
前記第６の閾値は前記第１の閾値より小さく、前記第７の閾値は前記第１の閾値より大きい、請求項１３又は１４に記載の電子デバイス。
【請求項２２】
前記プロセッサはさらに具体的に、
前記第１の加圧入力の圧力値が第２の閾値より大きい又はそれに等しいかどうかを判定し、前記第１の加圧入力の前記圧力値が前記第２の閾値より大きい又はそれに等しい場合、前記少なくとも１つのショートカット機能に関する前記情報を決定し、
前記第２の加圧入力の圧力値が第４の事前設定期間の間に常に前記第２の閾値より大きい又はそれに等しいかどうかを判定し、前記第１のアイコンに加えられた前記第２の加圧入力の前記圧力値が前記第４の事前設定期間の間に常に前記第２の閾値より大きい又はそれに等しい場合、前記少なくとも１つのショートカット機能のうち前記デフォルトのショートカット機能を作動させるように構成される、請求項１３に記載の電子デバイス。
【請求項２３】
前記プロセッサはさらに、
前記第１の加圧入力が第１の事前設定条件を満たしていると判定した場合、前記少なくとも１つのショートカット機能に関する前記情報を決定した後に、前記少なくとも１つのショートカット機能のそれぞれに関する情報を、前記デフォルトのショートカット機能に関する情報を対象としたマークを表示して、前記ディスプレイ装置に表示するように構成され、これにより、前記デフォルトのショートカット機能に関する前記情報の表示が別のショートカット機能に関する情報の表示とは異なる、請求項１３から２２のいずれか一項に記載の電子デバイス。
【請求項２４】
前記プロセッサはさらに、前記デフォルトのショートカット機能に関する前記情報だけにマークアイコンを追加し、前記少なくとも１つのショートカット機能のそれぞれに関する前記情報が前記ディスプレイ装置に表示された後に、ユーザが前記マークアイコンの位置を変更したことを前記センサが検出した場合、変更された前記マークアイコンの位置に対応するショートカット機能を前記デフォルトのショートカット機能と決定するように構成される、請求項２３に記載の電子デバイス。
【請求項２５】
電子デバイスのグラフィカルユーザインタフェースであって、前記電子デバイスは、ディスプレイ装置と、感圧面と、メモリと、前記感圧面でタッチの強度を検出するように構成された１つ又は複数のセンサと、前記メモリに格納された１つ又は複数のプログラムを実行するように構成された１つ又は複数のプロセッサとを備え、前記グラフィカルユーザインタフェースは、
少なくとも１つのアイコンであって、少なくとも１つのショートカット機能が、前記少なくとも１つのアイコンのうち第１のアイコンでマークされた第１のソフトウェアプログラム用に事前設定される、少なくとも１つのアイコンを備え、
これにより、前記感圧面で検出された第１の加圧入力に応答し、前記第１の加圧入力が前記感圧面で検出された後の第２の加圧入力に応答し、前記第１の加圧入力では、前記第１のアイコンに対応するタッチの強度が第１の事前設定条件に増加した場合、前記第１のアイコン用に事前設定された前記少なくとも１つのショートカット機能が表示され、前記第２の加圧入力では、前記第１のアイコンに対応する前記タッチの前記強度が第２の事前設定条件を満たしている場合、前記少なくとも１つのショートカット機能のうちデフォルトのショートカット機能に対応するインタフェースが表示される、グラフィカルユーザインタフェース。
【発明の詳細な説明】
【技術分野】
【０００１】
本発明の実施形態は通信分野に関し、特に、マンマシン対話方法、デバイス、及びグラフィカルユーザインタフェースに関する。
【背景技術】
【０００２】
ディスプレイ装置によってサポートされる圧力認識技術が徐々に成熟し、ディスプレイ装置が使いやすさや良好な体験を提供するなどの特徴を持つにつれて、圧力認識技術をサポートできる携帯電話やタブレット型コンピュータなどの電子デバイスの数が増加している。実際の操作過程では、ユーザのジェスチャは様々である。例えば、長押しする、タップする、スライドするなどのユーザのジェスチャは、全て特定のユーザ操作行動を示す。ユーザのジェスチャの圧力値を検出することで、ユーザ操作行動が認識されるならば、ユーザにもたらされる利便性は大きなものになり得る。
【０００３】
ユーザは、ディスプレイ装置上で加圧タッチ操作を行う前に、ユーザ操作のやり方を事前設定する必要がある。例えば、加圧タッチ操作後にポップアップ表示される小さいウィンドウ（機能リストインタフェース）で、２番目の選択を行う必要がある。すなわち、小さいウィンドウ内に表示された複数のショートカット機能の中で、選択したショートカット機能を作動させるためにタッチ選択を行う必要がある。比較的小さいウィンドウでタッチ選択を行うと、誤操作を引き起こす可能性があり、その結果、比較的不満足なユーザ体験がもたらされる。
【発明の概要】
【０００４】
本発明の実施形態が、電子デバイスによるマンマシン対話方法、デバイス、グラフィカルユーザインタフェースを提供し、誤操作を減らしてユーザ体験を向上させる。
【０００５】
第１の態様によれば、マンマシン対話方法が提供され、ディスプレイ装置及び感圧面を有する電子デバイスに適用される。電子デバイスは、感圧面に対するタッチの強度を検出する１つ又は複数のセンサを含む。本方法は、少なくとも１つのアイコンを電子デバイスによってディスプレイ装置に表示する段階であって、少なくとも１つのアイコンのうち第１のアイコンでマークされた第１のソフトウェアプログラム用に少なくとも１つのショートカット機能が事前設定される、段階と、第１のアイコンに加えられた第１の加圧入力を感圧面上で電子デバイスによって検出する段階と、第１の加圧入力が第１の事前設定条件を満たしていると判定した場合、少なくとも１つのショートカット機能に関する情報を電子デバイスによって決定する段階と、第１の加圧入力を検出した後に、第１のアイコンに加えられた第２の加圧入力を電子デバイスによって継続して検出する段階と、第２の加圧入力が第２の事前設定条件を満たしていると電子デバイスが判定した場合、少なくとも１つのショートカット機能のうちデフォルトのショートカット機能を作動させる段階とを含む。
【０００６】
このように、ユーザがショートカット機能を実施する必要がある場合、ユーザは、第１のアイコンを選択してからショートカット機能を選択する代わりに、選択を１回だけ行って、少なくとも１つのショートカット機能のうちデフォルトのショートカット機能を実施する。これにより、複数回の選択の間に引き起こされる誤操作を回避でき、さらにデフォルトのショートカット機能を有効にするスピードを上げることができるので、ユーザ体験を向上させることができる。
【０００７】
第１の態様の第１の可能な実装例において、第１の加圧入力が第１の事前設定条件を満たしていると判定した場合、少なくとも１つのショートカット機能に関する情報を電子デバイスによって決定する段階は、第１の加圧入力の圧力値が第１の事前設定期間内に第１の閾値に達したと電子デバイスが判定した場合、少なくとも１つのショートカット機能に関する情報を決定する段階を含む。ここで、第１の事前設定期間は第１の時点と第２の時点との間の時間間隔であり、第１の時点は第１のアイコンに加えられた第１の加圧入力の圧力値を電子デバイスが検出し始める時間である。
【０００８】
第１の態様の上述の可能な実装例に関連して、第１の態様の第２の可能な実装例では、第１の加圧入力が第１の事前設定条件を満たしていると判定した場合、少なくとも１つのショートカット機能に関する情報を電子デバイスによって決定する段階は、第１の加圧入力の圧力値が第１の事前設定期間内に第３の閾値から第１の閾値までの範囲に少なくとも２回入ったと電子デバイスが判定した場合、少なくとも１つのショートカット機能に関する情報を決定する段階を含む。ここで、第１の事前設定期間は第１の時点と第２の時点との間の時間間隔であり、第１の時点は第１のアイコンに加えられた第１の加圧入力の圧力値を電子デバイスが検出し始める時間であり、第１の閾値は第３の閾値より大きい。
【０００９】
このように、ジェスチャ圧力値が特定の第１の事前設定期間内に第３の閾値から第１の閾値までの範囲に少なくとも２回入った場合、電子デバイスは、少なくとも１つのショートカット機能に関する情報を決定してよい。これにより、電子デバイスは第２の加圧入力の圧力値と第２の事前設定条件との間の関係を決定し、少なくとも１つのショートカット機能のうちデフォルトのショートカット機能を作動させる。
【００１０】
第１の態様の上述の可能な実装例に関連して、第１の態様の第３の可能な実装例では、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第１の事前設定期間内に第２の閾値に達したことを電子デバイスが検出した場合、少なくとも１つのショートカット機能のうちデフォルトのショートカット機能を作動させる段階を含む。ここで、第２の閾値は第１の閾値より大きい。
【００１１】
第１の態様の上述の可能な実装例に関連して、第１の態様の第４の可能な実装例では、第２の加圧入力の圧力値が第１の事前設定期間内に第２の閾値に達したことを電子デバイスが検出した場合、少なくとも１つのショートカット機能のうちデフォルトのショートカット機能を作動させる段階は、第２の加圧入力の圧力値が第１の事前設定期間内に第２の閾値に達したことを電子デバイスが検出した場合、第１のアイコンに加えられた第２の加圧入力の圧力値を第２の事前設定期間の間に電子デバイスによって継続して検出する段階と、第２の加圧入力の検出された圧力値が第２の事前設定期間の間に常に第２の閾値より大きい又はそれに等しいと電子デバイスが判定した場合、少なくとも１つのショートカット機能のうちデフォルトのショートカット機能を作動させる段階とを含む。ここで、第２の事前設定期間は、第３の時点と第４の時点との間の時間間隔であり、第３の時点は第２の加圧入力の圧力値が第２の閾値に達する時間である。
【００１２】
したがって、第２の加圧入力の圧力値が所与の第１の事前設定期間内に第２の閾値に達することができた場合、デフォルトのショートカット機能をすぐに有効にしなくてよい。それは、ユーザが押下過程で誤操作を行うかもしれない、例えば、偶発的なタップによって、第１のアイコンへの第２の加圧入力の圧力値が第２の閾値に達することになるかもしれないからである。判定する段階が第２の事前設定期間に再度行われ、第２の加圧入力の圧力値が第２の閾値に達した後に、第２の事前設定期間の間、第２の加圧入力の圧力値が第２の閾値より大きい又はそれに等しい状態のままであるかどうかを判定する。第２の加圧入力の圧力値が第２の事前設定期間の間、その状態のままである場合、電子デバイスはユーザがデフォルトのショートカット機能を有効にする必要があると判定し、電子デバイスはデフォルトのショートカット機能を作動させる。
【００１３】
第１の態様の上述の可能な実装例に関連して、第１の態様の第５の可能な実装例では、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第４の閾値に達したことを電子デバイスが検出した場合、少なくとも１つのショートカット機能のうちデフォルトのショートカット機能を作動させる段階を含む。ここで、第４の閾値は第１の閾値より大きい。
【００１４】
第１の態様の上述の可能な実装例に関連して、第１の態様の第６の可能な実装例では、第２の加圧入力の圧力値が第１の事前設定期間内に第２の閾値に達したことを電子デバイスが検出した場合、少なくとも１つのショートカット機能のうちデフォルトのショートカット機能を作動させる段階は、第２の加圧入力の圧力値が第５の閾値より大きい又はそれに等しく且つ第４の閾値より小さいことを電子デバイスが検出した場合、第１のアイコンに加えられた第２の加圧入力の圧力値が次の第３の事前設定期間の間に常に第５の閾値より大きい又はそれに等しく且つ第４の閾値より小さいかどうかを電子デバイスによって判定する段階と、第１のアイコンに加えられた第２の加圧入力の圧力値が第３の事前設定期間の間に常に第５の閾値より大きい又はそれに等しく且つ第４の閾値より小さい場合、少なくとも１つのショートカット機能のうちデフォルトのショートカット機能を作動させる段階とを含む。ここで、第４の閾値は第５の閾値より大きく、第３の事前設定期間は、第５の時点と第６の時点との間の時間間隔であり、第５の時点は、第２の加圧入力の圧力値が第５の閾値に達する時間である。
【００１５】
実際の応用過程では、異なるユーザの異なる押下動作の間に比較的大きな差異が生じることがある。すなわち、一部のユーザの指圧値が指定された第４の閾値に達するのは容易かもしれないが、一部のユーザの指圧値が指定された第４の閾値に達するのは困難かもしない。したがって、ユーザの第２の加圧入力の圧力値が第４の閾値に達していないが、事前設定された第５の閾値に達していることを電子デバイスが検出した場合、第３の事前設定期間において電子デバイスは、第５の閾値に達したユーザの第２の加圧入力の圧力値が、第３の事前設定期間の間その状態のままであるかどうかを検出し、第２の加圧入力の圧力値が事前設定された第３の事前設定期間の間その状態のままであると電子デバイスが判定した後に、電子デバイスはユーザがデフォルトのショートカット機能を操作する必要があると判定し、電子デバイスはデフォルトのショートカット機能を作動させる。第４の閾値から第５の閾値を減算して求められる値が、圧力値に対する補正とみなされてよい。
【００１６】
第１の態様の上述の可能な実装例に関連して、第１の態様の第７の可能な実装例では、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第３の閾値から第１の閾値までの範囲に少なくとも２回入り、且つそれらの少なくとも２回の間の時間間隔が事前設定された２段階加圧時間条件を満たしていると電子デバイスが判定した場合、少なくとも１つのショートカット機能のうちデフォルトのショートカット機能を作動させる段階を含む。ここで、第１の閾値は第３の閾値より大きく、事前設定された２段階加圧時間条件は、例えば、少なくとも２回の間の時間間隔が第５の事前設定期間内であることでよく、第５の事前設定期間は、第２の加圧入力が始まる時点から第２の加圧入力が終わる時点までであってよい。
【００１７】
第１の態様の上述の可能な実装例に関連して、第１の態様の第８の可能な実装例では、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第６の閾値より小さいと電子デバイスが判定した場合、第２の加圧入力の圧力値を電子デバイスによって継続して検出する段階と、第２の加圧入力の圧力値が第７の閾値に達したと電子デバイスが判定した場合、少なくとも１つのショートカット機能のうちデフォルト機能を作動させる段階とを含む。ここで、第６の閾値は第１の閾値より小さく、第７の閾値は第１の閾値より大きい。
【００１８】
第１の態様の上述の可能な実装例に関連して、第１の態様の第９の可能な実装例では、第１の加圧入力が第１の事前設定条件を満たしていると判定した場合、少なくとも１つのショートカット機能に関する情報を電子デバイスによって決定する段階は、第１の加圧入力の圧力値が第２の閾値より大きい又はそれに等しいかどうかを電子デバイスによって判定し、第１の加圧入力の圧力値が第２の閾値より大きい又はそれに等しい場合、少なくとも１つのショートカット機能に関する情報を決定する段階を含む。また、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第４の事前設定期間の間に常に第２の閾値より大きい又はそれに等しいかどうかを電子デバイスによって判定し、第１のアイコンに加えられた第２の加圧入力の圧力値が第４の事前設定期間の間に常に第２の閾値より大きい又はそれに等しい場合、少なくとも１つのショートカット機能のうちデフォルトのショートカット機能を作動させる段階を含む。ここで、第４の事前設定期間は、第７の時点と第８の時点との間の時間間隔であり、第７の時点は第２の加圧入力の圧力値が第２の閾値に達する時間である。
【００１９】
第１の態様の上述の可能な実装例に関連して、第１の態様の第１０の可能な実装例では、第１の加圧入力が第１の事前設定条件を満たしていると判定した場合、少なくとも１つのショートカット機能に関する情報を電子デバイスによって決定する段階の後に、本方法はさらに、デフォルトのショートカット機能に関する情報を対象としたマークを表示して、少なくとも１つのショートカット機能のそれぞれに関する情報を電子デバイスによってディスプレイ装置に表示する段階を含む。これにより、デフォルトのショートカット機能に関する情報の表示が別のショートカット機能に関する情報の表示とは異なる。
【００２０】
第１の態様の上述の可能な実装例に関連して、第１の態様の第１１の可能な実装例では、デフォルトのショートカット機能に関する情報を対象としたマークを表示する段階は、デフォルトのショートカット機能に関する情報のみに電子デバイスによってマークアイコンを追加する段階を含み、少なくとも１つのショートカット機能のそれぞれに関する情報を電子デバイスによってディスプレイ装置に表示する段階の後に、本方法はさらに、ユーザがマークアイコンの位置を変更したことを電子デバイスが検出した場合、変更されたマークアイコンの位置に対応するショートカット機能をデフォルトのショートカット機能と判定する段階を含む。
【００２１】
したがって、少なくとも１つのショートカット機能に関する情報がディスプレイ装置に表示され、これにより、ショートカット機能リストがユーザに直感的に提示される。さらに、デフォルトのショートカット機能がマークアイコンを用いてマークされ、これによりユーザは、必要に応じてアイコンの位置を変更し、新たなデフォルトのショートカット機能を決定する。このように、お気に入りのショートカット機能、頻繁に用いられるショートカット機能などを、柔軟に選択できる。
【００２２】
第２の態様によれば、電子デバイスが提供される。この電子デバイスは、ディスプレイ装置と、感圧面と、センサと、プロセッサとを含み、少なくとも１つのアイコンがディスプレイ装置に表示される。少なくとも１つのショートカット機能が、少なくとも１つのアイコンのうち第１のアイコンでマークされた第１のソフトウェアプログラム用に事前設定される。センサはさらに、第１のアイコンに加えられた第１の加圧入力を感圧面で検出するように構成される。プロセッサは、第１の加圧入力が第１の事前設定条件を満たしていると判定した場合、少なくとも１つのショートカット機能に関する情報を決定するように構成される。センサは、第１の加圧入力を検出した後に、第１のアイコンに加えられる第２の加圧入力を継続して検出するように構成される。プロセッサはさらに、第２の加圧入力が第２の事前設定条件を満たしていると判定した場合、少なくとも１つのショートカット機能のうちデフォルトのショートカット機能を作動させるように構成される。
【００２３】
第２の態様の第１の可能な実装例において、プロセッサは具体的に、第１の加圧入力の圧力値が第１の事前設定期間内に第１の閾値に達した場合、少なくとも１つのショートカット機能に関する情報を決定するように構成される。ここで、第１の事前設定期間は第１の時点と第２の時点との間の時間間隔であり、第１の時点は第１のアイコンに加えられた第１の加圧入力の圧力値をセンサが検出し始める時間である。
【００２４】
第２の態様の上述の可能な実装例に関連して、第２の態様の第２の可能な実装例では、プロセッサはさらに具体的に、第１の加圧入力の圧力値が第１の事前設定期間内に第３の閾値から第１の閾値までの範囲に少なくとも２回入ったと判定した場合、少なくとも１つのショートカット機能に関する情報を決定するように構成される。ここで、第１の事前設定期間は第１の時点と第２の時点との間の時間間隔であり、第１の時点は第１のアイコンに加えられた第１の加圧入力の圧力値をセンサが検出し始める時間であり、第１の閾値は第３の閾値より大きい。
【００２５】
第２の態様の上述の可能な実装例に関連して、第２の態様の第３の可能な実装例では、プロセッサはさらに具体的に、第２の加圧入力の圧力値が第１の事前設定期間内に第２の閾値に達したことをセンサが検出した場合、少なくとも１つのショートカット機能のうちデフォルトのショートカット機能を作動させるように構成される。ここで、第２の閾値は第１の閾値より大きい。
【００２６】
第２の態様の上述の可能な実装例に関連して、第２の態様の第４の可能な実装例では、センサはさらに、第２の加圧入力の圧力値が第１の事前設定期間内に第２の閾値に達したことをセンサが検出した場合、センサは第１のアイコンに加えられた第２の加圧入力の圧力値を第２の事前設定期間の間に継続して検出するように構成され、プロセッサは具体的に、第２の加圧入力の検出された圧力値が第２の事前設定期間の間に常に第２の閾値より大きい又はそれに等しいと判定した場合、少なくとも１つのショートカット機能のうちデフォルトのショートカット機能を作動させるように構成される。ここで、第２の事前設定期間は第３の時点と第４の時点との間の時間間隔であり、第３の時点は第２の加圧入力の圧力値が第２の閾値に達する時間である。
【００２７】
第２の態様の上述の可能な実装例に関連して、第２の態様の第５の可能な実装例では、プロセッサはさらに具体的に、第２の加圧入力の圧力値が第４の閾値に達したことを検出した場合、少なくとも１つのショートカット機能のうちデフォルトのショートカット機能を作動させるように構成される。ここで、第４の閾値は第１の閾値より大きい。
【００２８】
第２の態様の上述の可能な実装例に関連して、第２の態様の第６の可能な実装例では、プロセッサはさらに具体的に、第２の加圧入力の圧力値が第５の閾値より大きい又はそれに等しく且つ第４の閾値より小さいことを検出した場合、第１のアイコンに加えられた第２の加圧入力の圧力値が次の第３の事前設定期間の間に常に第５の閾値より大きい又はそれに等しく且つ第４の閾値より小さいかどうかを判定し、第１のアイコンに加えられた第２の加圧入力の圧力値が第３の事前設定期間の間に常に第５の閾値より大きい又はそれに等しく且つ第４の閾値より小さい場合、少なくとも１つのショートカット機能のうちデフォルトのショートカット機能を作動させるように構成される。ここで第４の閾値は第５の閾値より大きい。
【００２９】
第２の態様の上述の可能な実装例に関連して、第２の態様の第７の可能な実装例では、プロセッサはさらに具体的に、第２の加圧入力の圧力値が第３の閾値から第１の閾値までの範囲に少なくとも２回入り、且つそれらの少なくとも２回の間の時間間隔が事前設定された２段階加圧時間条件を満たしていると電子デバイスが判定した場合、少なくとも１つのショートカット機能のうちデフォルトのショートカット機能を作動させるように構成される。ここで、第１の閾値は第３の閾値より大きい。
【００３０】
第２の態様の上述の可能な実装例に関連して、第２の態様の第８の可能な実装例では、センサはさらに、第２の加圧入力の圧力値が第６の閾値より小さいと判定された場合、第２の加圧入力の圧力値を継続して検出するように構成され、プロセッサはさらに具体的に、第２の加圧入力の圧力値が第７の閾値に達したと判定した場合、少なくとも１つのショートカット機能のうちデフォルト機能を作動させるように構成される。ここで、第６の閾値は第１の閾値より小さく、第７の閾値は第１の閾値より大きい。
【００３１】
第２の態様の上述の可能な実装例に関連して、第２の態様の第９の可能な実装例では、プロセッサはさらに、第１の加圧入力の圧力値が第２の閾値より大きい又はそれに等しいかどうかを判定し、第１の加圧入力の圧力値が第２の閾値より大きい又はそれに等しい場合、少なくとも１つのショートカット機能に関する情報を決定し、第２の加圧入力の圧力値が第４の事前設定期間の間に常に第２の閾値より大きい又はそれに等しいかどうかを判定して、第１のアイコンに加えられた第２の加圧入力の圧力値が第４の事前設定期間の間に常に第２の閾値より大きい又はそれに等しい場合、少なくとも１つのショートカット機能のうちデフォルトのショートカット機能を作動させるように構成される。
【００３２】
第２の態様の上述の可能な実装例に関連して、第２の態様の第１０の可能な実装例では、プロセッサはさらに、第１の加圧入力が第１の事前設定条件を満たしていると判定した場合、少なくとも１つのショートカット機能に関する情報を決定した後に、少なくとも１つのショートカット機能のそれぞれに関する情報を、デフォルトのショートカット機能に関する情報を対象としたマークを表示して、ディスプレイ装置に表示するように構成される。これにより、デフォルトのショートカット機能に関する情報の表示が別のショートカット機能に関する情報の表示とは異なる。
【００３３】
第２の態様の上述の可能な実装例に関連して、第２の態様の第１１の可能な実装例では、プロセッサはさらに、デフォルトのショートカット機能に関する情報のみにマークアイコンを追加し、少なくとも１つのショートカット機能のそれぞれに関する情報がディスプレイ装置に表示された後に、ユーザがマークアイコンの位置を変更したことをセンサが検出した場合、変更されたマークアイコンの位置に対応するショートカット機能をデフォルトのショートカット機能と判定するように構成される。
【００３４】
第３の態様によれば、電子デバイスのグラフィカルユーザインタフェースが提供される。電子デバイスは、ディスプレイ装置と、感圧面と、メモリと、感圧面でタッチの強度を検出するように構成された１つ又は複数のセンサと、メモリに格納された１つ又は複数のプログラムを実行するように構成された１つ又は複数のプロセッサとを有する。グラフィカルユーザインタフェースは少なくとも１つのアイコンを含む。少なくとも１つのショートカット機能は、少なくとも１つのアイコンのうち第１のアイコンでマークされた第１のソフトウェアプログラム用に事前設定され、感圧面で検出された第１の加圧入力に応答し、第１の加圧入力が感圧面で検出された後の第２の加圧入力に応答する。第１の加圧入力では、第１のアイコンに対応する接触の強度が増加して第１の事前設定条件を満たしている場合、第１のアイコン用に事前設定された少なくとも１つのショートカット機能が表示され、第２の加圧入力では、第１のアイコンに対応する接触の強度が第２の事前設定条件を満たしている場合、少なくとも１つのショートカット機能のうちデフォルトのショートカット機能に対応するインタフェースが表示される。
【００３５】
第１の態様、第２の態様、及び第３の態様の上述の可能な実装例において、第１のアイコンはアプリケーション（Ａｐｐｌｉｃａｔｉｏｎ、略して「ＡＰＰ」）アイコンであってよく、又はファイルアイコンであってもよい。
【００３６】
第４の態様によれば、コンピュータ可読媒体が提供され、コンピュータ可読媒体はコンピュータプログラムを格納するように構成される。コンピュータプログラムは、第１の態様又は第１の態様の任意の可能な実装例の方法を実行するのに用いられる命令を含む。
【図面の簡単な説明】
【００３７】
本発明の実施形態の技術的解決手段をより明確に説明するために、以下では、本発明の実施形態又は先行技術を説明するのに必要な添付図面を簡潔に説明する。以下に説明される添付図面は、単なる本発明の一部の実施形態を示すにすぎず、当業者であれば依然として、これらの添付図面から創造的努力をすることなく他の図面を導き出し得ることは明らかである。
【００３８】
【図１】加圧タッチを実装するディスプレイ装置の内部構造の概略図である。
【００３９】
【図２】本発明の一実施形態による電子デバイスのインタフェースで操作を行う概略図である。
【００４０】
【図３】本発明の一実施形態によるマンマシン対話方法の概略図である。
【００４１】
【図４】本発明の一実施形態による圧力曲線の概略図である。
【００４２】
【図５】本発明の一実施形態による別のマンマシン対話方法の概略図である。
【００４３】
【図６】本発明の一実施形態によるさらに別のマンマシン対話方法の概略図である。
【００４４】
【図７】本発明の一実施形態によるさらに別のマンマシン対話方法の概略図である。
【００４５】
【図８】本発明の一実施形態によるさらに別のマンマシン対話方法の概略図である。
【００４６】
【図９】本発明の一実施形態による電子デバイスの概略図である。
【００４７】
【図１０】本発明の一実施形態による別の電子デバイスの概略図である。
【発明を実施するための形態】
【００４８】
以下では、本発明の実施形態における技術的解決手段を本発明の実施形態の添付図面を参照して明確且つ十分に説明する。説明される実施形態は、本発明の実施形態の全てではなく一部であることは明らかである。本発明の実施形態に基づいて当業者が創造的努力をすることなく取得する他の全ての実施形態は、本発明の保護範囲に含まれるものとする。
【００４９】
本発明の実施形態における技術的解決手段は、ディスプレイ装置を有する全ての電子デバイスに適用されてよい。例えば電子デバイスは、携帯電話、タブレット型パーソナルコンピュータ（Ｔａｂｌｅｔ  Ｐｅｒｓｏｎａｌ  Ｃｏｍｐｕｔｅｒ）、メディアプレーヤ、スマートテレビ、ラップトップコンピュータ（Ｌａｐｔｏｐ  Ｃｏｍｐｕｔｅｒ）、携帯情報端末（ｐｅｒｓｏｎａｌ  ｄｉｇｉｔａｌ  ａｓｓｉｓｔａｎｔ、ＰＤＡ）、パーソナルコンピュータ（Ｐｅｒｓｏｎａｌ  Ｃｏｍｐｕｔｅｒ）、モバイルインターネットデバイス（Ｍｏｂｉｌｅ  Ｉｎｔｅｒｎｅｔ  Ｄｅｖｉｃｅ）、又はディスプレイ装置を有するスマートウォッチなどのウェアラブルデバイス（Ｗｅａｒａｂｌｅ  Ｄｅｖｉｃｅ）であってよい。このことは、本発明のこの実施形態において限定されない。
【００５０】
図１は、加圧タッチを実装するディスプレイ装置の内部構造の概略図、すなわち、センサとタッチ感応式ディスプレイ装置とを組み合わせることで形成される感圧式タッチディスプレイ装置の概略構造図である。もちろん、本発明は代替的に、感圧式ディスプレイ装置を用いて、すなわち、感圧機能だけを有しタッチ検出機能がないディスプレイ装置を用いて実装されてもよい。さらに、感圧機能がディスプレイ装置に統合された構造のほかに、感圧がディスプレイ装置に物理的に統合されていない構造が本発明に代替的に用いられてもよく、例えば、感圧プレートが感圧及び加圧入力を実装するのに用いられる。もちろん、タッチ検出がディスプレイ装置に物理的に統合されていなくてもよく、例えば、タッチパッドがタッチ感圧及び加圧入力を実装するのに用いられる。以下では、感圧式タッチディスプレイ装置を一例として用いることで、本発明の一実施形態を説明する。別の構造のディスプレイ装置が同じ機能を実装できるが、詳細は説明しない。図１に示すように、電子デバイスのディスプレイ装置１００が、カバー１０１と、表示モジュール１０２と、金属製中間フレーム１０３と、導電層１０４とを含む。表示モジュール１０２は、カバー１０１と金属製中間フレーム１０３との間に配置されている。中間フレーム１０３は接地されている。導電層１０４は表示モジュール１０２の下面１０５に取り付けられている。図１に示すように、電子デバイスの頂部から電子デバイスの底部への鉛直方向において、表示モジュール１０２の上部表面がカバー１０１に取り付けられ、導電層１０４は表示モジュール１０２の下面に取り付けられている。
【００５１】
カバー１０１はカバーガラス（Ｃｏｖｅｒ  Ｇｌａｓｓ）である。カバーガラスは、ディスプレイカバーとも呼ばれ、電子デバイスの表示モジュールのコンポーネントを密閉又は被覆するように構成される。カバーは主にガラスで作られている。カバーの厚さは、０．１ミリメートルから１．１ミリメートルの範囲である。もちろん、カバーは代替的に別の材料で作られてもよい。このことは、本発明のこの実施形態において限定されない。
【００５２】
表示モジュール１０２は、完成したディスプレイ装置を形成する主要コンポーネントの１つであり、主にバックライト装置、ベースプレート、駆動回路、抵抗器、コンデンサ、及びプラスチック製のスイートを含む。
【００５３】
金属製中間フレーム１０３は、表示モジュールなどの部品を保持するよう構成されたコンポーネントであり、例えば、アルミニウム金属製中間フレームなどの金属材料で作られている。
【００５４】
図１に示すように、少なくとも１つのコンデンサが導電層１０４と金属製中間フレーム１０３との間に形成されている。導電層１０４はコンデンサの極板とみなされてよい。金属製中間フレーム１０３は、コンデンサのもう１つの極板とみなされてよい。コンデンサは、圧力センサとして用いられてよい。例えば、ユーザがカバーを押下した場合に特定の力が発生し、その力の作用によって導電層１０４の形状が変化する。これにより、コンデンサの２つの極板間の距離が変化し、さらにコンデンサの静電容量が変化する。さらに、ユーザがカバーに加える圧力の大きさは、コンデンサの静電容量と正比例の関係にある。例えば、カバーに加えられる圧力が大きくなると、コンデンサの静電容量の変化が大きくなる。したがって、ユーザのタッチジェスチャとディスプレイ装置の圧力変化との間に対応関係が確立されてよい。電子デバイスは、受信したコンデンサの静電容量変化信号に従って、ユーザがディスプレイ装置のカバーに加えた圧力の変化を判定し、これにより、対応するオペレーションに応答する。
【００５５】
感圧機能を有する説明されたディスプレイ装置の構造は、圧力変化がディスプレイ装置上で検出されるディスプレイ装置の構造の一例としてのみ用いられている。本発明の一実施形態のマンマシン対話方法が、感圧機能を有する説明されたディスプレイ装置に実装されるか、又はディスプレイ装置上で圧力変化を取得及び検出する電子デバイス、例えば感圧プレートなどに実装されてもよい。
【００５６】
図２は、本発明の一実施形態による電子デバイスのインタフェースで操作を行う概略図である。図２に示すように、ユーザが感圧機能を有するディスプレイ装置の画面を押下した場合、電子デバイスはユーザの加圧タッチを認識できる。もちろん、ユーザは代替的に、電子デバイスと通信する感圧プレートなどの入力デバイスを用いて、加圧入力を実施してよい。
【００５７】
本発明のこの実施形態は、ディスプレイ装置に表示されるアプリケーションＡＰＰアイコンに適用されてよく、又はフォルダアイコンに適用されてもよい。フォルダアイコンについては、フォルダアイコンに加えられた加圧入力が第１の事前設定条件を満たしていることが検出された場合、フォルダアイコン用に事前設定された１つ又は複数のショートカット機能が表示される。
事前設定された１つ又は複数のショートカット機能は、最近用いられた１つ又は複数のショートカット機能であってよく、又はユーザが最も頻繁に用いる１つ又は複数のショートカット機能であってもよく、又はユーザが指定した１つ又は複数のショートカット機能であってもよい。本明細書で言及されるショートカット機能は、特定のファイルであってよく、又はファイル編集機能であってもよい。例えば、「ショッピング」と名付けられたフォルダアイコンに加えられた加圧入力が第１の事前設定条件を満たしていることが検出された場合、例えば、圧力値が５ニュートンより大きい場合、それに応じて機能リストがポップアップ表示されて、ユーザが最近使い始めた３つのＡＰＰの名前又はアイコン、例えば、Ａｍａｚｏｎ、Ｅｂａｙ、及びＴａｏｂａｏのアイコンが表示される。ユーザがお気に入りに設定した記号、例えば、星印がＴａｏｂａｏにマークされるか、又は特別な色、特別なフォント、若しくは他の特別な表示を用いて、あるアイコン項目がユーザのお気に入りとして設定されたことを表す。「ショッピング」フォルダアイコンに加えられた加圧入力が、第２の事前設定条件が満たされるまで継続して増加したことが検出された場合、ユーザのお気に入りのショートカット機能が作動する。すなわち、「Ｔａｏｂａｏ」アイコンに対応するＡＰＰが作動する／有効になる。本発明のこの実施形態におけるアイコンは、代替的にアプリケーションＡＰＰアイコンであってもよい。以下では、ＡＰＰアイコンを一例として用いる。全てのフォルダアイコンはＡＰＰアイコンの機能と同様の機能を有し、フォルダアイコンの特定の実装例が以下の実施形態に従って導き出され得るので、詳細は説明しない。
【００５８】
電子デバイスの電源が入った後、本発明のこの実施形態では、感圧式タッチスクリーンを用いて構成された携帯電話が説明のための一例として用いられる。携帯電話がロック解除された後に、１つ又は複数のアイコンがＨＯＭＥ画面のインタフェースに表示される。１つ又は複数のアイコンはＡＰＰアイコン若しくはフォルダアイコンであってよく、又はＡＰＰアイコン及びフォルダアイコンを含んでもよい。携帯電話は、アイコンに接触があったことを検出した場合、その接触がタッチ操作又は押下操作であると判定する。アイコンにタッチすることで発生した圧力値が加圧開始値（例えば、加圧開始値は１．２５Ｎである）より大きく、且つ圧力継続時間が事前設定時間（例えば、事前設定時間は８００ｍｓである）より長いことが検出された場合、この接触は押下操作と認識される。アイコンにタッチすることで発生した圧力値が加圧開始値より小さく、且つ圧力継続時間が事前設定時間より短い、例えば、圧力値が１．２５Ｎより小さく、且つ継続時間が８００ｍｓより短いことが検出された場合、この接触はタッチ操作のクリックと認識される。アイコンにタッチすることで発生した圧力値が加圧開始値より小さく、且つ圧力継続時間が事前設定時間より長い、例えば、圧力値が１．２５Ｎより小さく、且つ継続時間が８００ｍｓより長いことが検出された場合、この接触はタッチ操作の長押しと認識される。携帯電話は圧力値を定期的に検出する。例えば、圧力センサによって検出された圧力値が１６ｍｓごとに取得される。携帯電話は、検出された圧力値を事前設定閾値と比較し、比較結果に従って対応するオペレーションを行う。具体的には、検出された圧力値が第１の閾値、例えば２．５Ｎより大きい又はそれに等しい場合、対応するショートカット機能を決定するというオペレーションが行われる。例えば、操作されるアイコン用に事前設定されたショートカット機能の関連情報、例えば、ショートカット機能の名前若しくはアイコン、数、配置順序、表示モードなどの情報のうち１つ又はそれらの情報のうち複数の組み合わせなどが決定され、これにより、ユーザがショートカット機能情報を選択して表示する状態で、決定された情報がグラフィカルに表示される。検出された圧力値が第２の閾値、例えば２．９５Ｎに達したか又はそれを超えた場合、デフォルトのショートカット機能を有効にするというオペレーションが行われる。すなわち、事前設定されたショートカット機能のうちデフォルトのショートカット機能が作動し、現在のインタフェースから抜けて、デフォルトのショートカット機能に対応するユーザインタフェースに入る。
【００５９】
上述の具体的な値の全ては例である。携帯電話の開発設計者は、ハードウェアの感度などの実際の要求又は性能に応じて上述のパラメータを設定してよく、このことは本発明において限定されない。上述では一例として圧力を用いており、以下の実施形態の様々な状況と同様なので、詳細は説明しない。
【００６０】
図３は、本発明の一実施形態によるマンマシン対話方法２００の概略図である。方法２００は、ディスプレイ装置及び感圧面を有する電子デバイスに適用される。電子デバイスは、感圧面上のタッチの強度を検出する１つ又は複数のセンサを含む。方法２００は以下の段階を含んでよい。
【００６１】
Ｓ２１０：電子デバイスは少なくとも１つのアイコンをディスプレイ装置に表示する。ここで、少なくとも１つのショートカット機能が、少なくとも１つのアイコンのうち第１のアイコンでマークされた第１のソフトウェアプログラム用に事前設定される。
【００６２】
Ｓ２２０：電子デバイスは、第１のアイコンに加えられた第１の加圧入力を感圧面で検出する。
【００６３】
Ｓ２３０：電子デバイスは、第１の加圧入力が第１の事前設定条件を満たしていると判定した場合、第１のアイコン用に事前設定された少なくとも１つのショートカット機能の関連情報を決定する。
【００６４】
Ｓ２４０：電子デバイスは、第１の加圧入力を検出した後に、第１のアイコンに加えられた第２の加圧入力を継続して検出し、第２の加圧入力が第２の事前設定条件を満たしていると電子デバイスが判定した場合、少なくとも１つのショートカット機能のうちデフォルトのショートカット機能を作動させる。
【００６５】
具体的には、少なくとも１つのショートカット機能は、ディスプレイ装置に表示された第１のアイコンでマークされた第１のソフトウェアプログラム用に事前設定される。電子デバイスは、第１のアイコンに加えられる第１の加圧入力及び第２の加圧入力を検出する。電子デバイスは、第１の加圧入力が第１の事前設定条件を満たしている場合、少なくとも１つのショートカット機能に関する情報を決定してよく、第２の加圧入力が第２の事前設定条件を満たしている場合、デフォルトのショートカット機能を作動させてよい。デフォルトのショートカット機能は、ユーザが事前設定したお気に入り機能であってよい。このように、ユーザがショートカット機能を実施する必要がある場合、ユーザは、第１のアイコンを選択してから別のオブジェクトを選択して操作を行う代わりに、１つの操作オブジェクトに対してだけ操作を行い、少なくとも１つのショートカット機能のうちデフォルトのショートカット機能を実施する。これにより、複数回の選択の間に引き起こされる誤操作を回避できる。指を移動させる必要がないので、デフォルトのショートカット機能を有効にするスピードをさらに上げることができ、したがって、ユーザ体験を改善させることができる。
【００６６】
ディスプレイ装置は感圧面と組み合わされて感圧画面を形成してよく、又はディスプレイ装置及び感圧面は、例えば、感圧プレートとディスプレイ装置とに分離されてもよいことを理解されたい。代替的に、圧力センサはディスプレイ装置及び感圧面と組み合わされてよい。すなわち感圧式タッチスクリーンが形成される。圧力センサ、ディスプレイ装置、及び感圧面は分離されてよく、又は圧力センサ、ディスプレイ装置、及び感圧面は２つ１組方式で組み合わされ、例えば、タッチスクリーンと感圧プレート、感圧式スクリーンとタッチパッド、又はディスプレイ装置と感圧式タッチパッドとが組み合わされる。このことは、本発明のこの実施形態において限定されない。
【００６７】
ユーザは感圧面に１回接触（押下）することで第１の加圧入力及び第２の加圧入力を実施してよく、又は感圧面に２回又は複数回接触することで第１の加圧入力及び第２の加圧入力を実施してもよいことも理解されたい。どちらかの加圧入力（第１又は第２）が、ユーザの指を感圧面に置いたまま感圧面に１回接触することで実施されてよく、又は、ユーザの指を接触が終わるたびに感圧面から離して、感圧面に２回又は複数回接触することで実施されてもよい。このことは、本発明のこの実施形態において限定されない。
【００６８】
また、第１の加圧入力の圧力値又は第２の加圧入力の圧力値は、相対値でも絶対値でもよく、例えば、第１の加圧入力の圧力値又は第２の加圧入力の圧力値は具体的に、押下中に発生する圧力変化であってもよいことを理解されたい。代替的に、第１の加圧入力の圧力値又は第２の加圧入力の圧力値は、圧力の程度に関する値を表すのに用いられてもよい。例えば、第１の加圧入力の圧力値１は軽い圧力を示し、第２の加圧入力の圧力値２は強い圧力を示す。このことは、本発明のこの実施形態において限定されない。
【００６９】
さらに、第１の事前設定条件は以下の通りでよい。すなわち、第１の加圧入力の圧力値が事前設定期間の間、特定の閾値より大きいか若しくはそれに等しい、又は特定の閾値範囲に少なくとも２回入る。第２の事前設定条件は以下の通りでよい。すなわち、第２の加圧入力の圧力値が事前設定閾値より大きい、又は事前設定期間の間、事前設定閾値範囲に留まる。もちろん、第１の事前設定条件及び第２の事前設定条件は、圧力値に関連した他の条件であってもよい。例えば、事前設定期間内の第１の加圧入力の最大圧力値が特定の閾値より大きい、又は事前設定期間内の第１の加圧入力の平均圧力値が特定の閾値より大きい、又は第１の加圧入力の圧力値が事前設定期間の間に少なくとも１回、事前設定されたピーク値及び事前設定されたトラフ値に達する。別の例では、第２の加圧入力の圧力値は事前設定期間の間そのままの状態に留まった後に指定された閾値に達する、又は第２の加圧入力の圧力値は指定された閾値に達し、事前設定期間の間その状態のままである、又は指定された第１の閾値に第２の加圧入力の圧力値が達した後に、第２の加圧入力の圧力値は指定された期間の間、第２の閾値から第１の閾値までの範囲に留まる、又は第２の加圧入力の圧力値は事前設定閾値範囲に少なくとも２回入ってよい。第１の事前設定条件及び第２の事前設定条件には、本発明のこの実施形態において何の限定も課されない。
【００７０】
少なくとも１つのショートカット機能に関する情報は、少なくとも１つのショートカット機能のそれぞれのマーキング情報、アイコン情報、配置順序などを含んでよく、又は表示フォント、表示色、表示方向などを含んでもよいことを理解されたい。このことは、本発明のこの実施形態において限定されない。
【００７１】
任意選択で、第１のソフトウェアプログラム用の少なくとも１つのショートカット機能に関する情報をユーザが事前設定してよく、又は第１のソフトウェアプログラム用の少なくとも１つのショートカット機能に別のソフトウェアプログラムの機能をユーザが追加してもよい。例えば、住所録ＡＰＰにショートカット機能を設定できる、すなわち、頻繁に用いる連絡先として父または母を設定する、連絡先を追加するなどができる。あるいは、ショートメッセージサービスＡＰＰのショートメッセージサービスのメッセージを送信するためのショートカット機能を住所録ＡＰＰのショートカット機能として設定する。このように、例えば、携帯電話の画面が住所録ＡＰＰだけを表示している場合、住所録ＡＰＰを押下することでショートメッセージサービスのメッセージ送信機能を作動させることができる。このことは、本発明のこの実施形態において限定されない。本発明のこの実施形態によってユーザ操作が容易になるので、ユーザは自分が用いる習慣に従って設定を行うことができ、期待する機能をすぐに作動させることができる。もちろん、電子デバイスは代替的に、ユーザが頻繁に用いるショートカット機能を検出して、検出された頻繁に用いられるショートカット機能をユーザにプッシュしてよく、これによりユーザは、そのショートカット機能を選択して設定する。あるいは、電子デバイスは検出された１つ又は複数の頻繁に用いられるショートカット機能を１つ又は複数のショートカット機能として自動的に設定する。さらに、ショートカット機能をいくつ設定できるか、又はいくつ設定する必要があるかに関する詳細は、ユーザが選択してよい。ユーザが選択を行わない場合、システムのデフォルト値が使われてよく、例えば、ショートカット機能は４つになる。異なる数のショートカット機能が異なるソフトウェアプログラムに設定されてよい。例えば、ショートカット機能の数及び特定の機能が、ソフトウェアプログラムのプロパティ、ユーザの要求、画面サイズ、又は表示スペースなどの要因に応じて設定される。例えば、電話通話ＡＰＰでは、あるショートカット機能が１つから５つの電話番号又は連絡先のために設定されてよく、ショートメッセージサービスＡＰＰでは、ショートメッセージサービスのメッセージを書くこと、及びショートメッセージサービスのメッセージを閲覧することという２つのショートカット機能が設定されてよい。このことは、本発明のこの実施形態において限定されない。
【００７２】
任意選択で、フォルダは１つ又は複数のアプリケーションＡＰＰを含む。電子デバイスは、フォルダのアイコンに加えられた加圧入力を検出する。電子デバイスは、ユーザによってフォルダのアイコンに加えられた加圧入力が事前設定条件を満たしているかどうか、例えば、加圧入力が５ニュートンに達したかどうかを判定する。加圧入力が事前設定条件を満たしている場合、電子デバイスはフォルダに事前設定されたショートカット機能に関する情報を決定する。例えば、電子デバイスは、Ｆａｃｅｂｏｏｋ（登録商標）、Ｔｗｉｔｔｅｒ（登録商標）、ＬｉｎｋｅｄＩｎ、及びＩｎｓｔａｇｒａｍという４つのＡＰＰに４つのショートカット機能を事前設定すると決定する。ここで、Ｆａｃｅｂｏｏｋ（登録商標）のＡＰＰはユーザによってお気に入りに設定される。フォルダのアイコンに対する加圧入力が別の事前設定条件を満たしている、例えば圧力値が８ニュートンより大きい又はそれに等しいと判定した場合、電子デバイスはＦａｃｅｂｏｏｋ（登録商標）のＡＰＰを作動させる。このように、ユーザがお気に入りのＡＰＰを実行する必要がある場合、フォルダを選択してからお気に入りのＡＰＰを選択する代わりに、ユーザは１回の選択を行うだけでお気に入りのＡＰＰを使い始める。これにより、複数回の選択の間に引き起こされる誤操作を回避でき、特定の機能を有効にするスピードを上げることができるので、ユーザ体験を向上させることができる。
【００７３】
任意選択の実施形態において、第１の加圧入力が第１の事前設定条件を満たしていると判定した場合、少なくとも１つのショートカット機能に関する情報を電子デバイスによって決定する段階は、第１の加圧入力の圧力値が第１の事前設定期間内に第１の閾値に達したと電子デバイスが判定した場合、少なくとも１つのショートカット機能に関する情報を決定する段階を含む。ここで、第１の事前設定期間は第１の時点と第２の時点との間の時間間隔であり、第１の時点は第１のアイコンに加えられた第１の加圧入力の圧力値を電子デバイスが検出し始める時間である。例えば、メールボックスが、電子メール送信、電子メール受信、電子メール保存、及び電子メール削除という４つのショートカット機能を含む。電子メール送信は、メールボックスのデフォルト機能として設定されている。例えば、メールボックスアイコンに対する第２の加圧入力の圧力値が、０〜４００ミリ秒（ｍｓ）の期間内に３．４ニュートン（Ｎ）を超えた場合、電子デバイスは電子メール送信機能を実施する。任意選択で、電子メール送信に対応するグラフィカルユーザインタフェースがディスプレイ装置に提示されてよい。
【００７４】
任意選択の実施形態において、第１の加圧入力が第１の事前設定条件を満たしていると判定した場合、少なくとも１つのショートカット機能に関する情報を電子デバイスによって決定する段階は、第１の加圧入力の圧力値が第１の事前設定期間内に第３の閾値から第１の閾値までの範囲に少なくとも２回入ったと電子デバイスが判定した場合、少なくとも１つのショートカット機能に関する情報を決定する段階を含む。ここで、第１の事前設定期間は第１の時点と第２の時点との間の時間間隔であり、第１の時点は第１のアイコンに加えられた第１の加圧入力の圧力値を電子デバイスが検出し始める時間であり、第１の閾値は第３の閾値より大きく、第３の閾値は０より大きい。このように、第２の加圧入力の圧力値が特定の第１の事前設定期間内に第３の閾値から第１の閾値までの範囲に少なくとも２回入った場合、電子デバイスは少なくとも１つのショートカット機能に関する情報を決定してよい。これにより、電子デバイスは、第２の加圧入力の圧力値に従って少なくとも１つのショートカット機能のうちデフォルトのショートカット機能を作動させる。例えば、第１の加圧入力の圧力値が０〜８００ｍｓの期間内に１〜１．９Ｎの範囲に２回入った場合、電子デバイスは少なくとも１つのショートカット機能に関する情報を決定する。
【００７５】
具体的には、指定された第１の事前設定期間内に第１の加圧入力の圧力値が第１の閾値に達した場合、又は第１の加圧入力の圧力値が第１の事前設定期間の間に第３の閾値から第１の閾値までの範囲に２回入った場合、電子デバイスは少なくとも１つのショートカット機能に関する情報を決定してよい。少なくとも１つのショートカット機能に関する情報は、上述の２つの方法を用いて決定され得ることを理解されたい。電子デバイスは、対応する条件が最初に満たされる方法に応答して、少なくとも１つのショートカット機能に関する情報を決定するが、このことは、本発明のこの実施形態において限定されない。
【００７６】
任意選択の実施形態において、第１の加圧入力が第１の事前設定条件を満たしていると判定した場合、電子デバイスが少なくとも１つのショートカット機能に関する情報を決定した後に、本方法はさらに、事前設定されたデフォルトのショートカット機能に関する情報を対象としたマーク（ユーザのお気に入り）を表示して、少なくとも１つのショートカット機能のそれぞれに関する情報を電子デバイスによってディスプレイ装置に表示する段階を含む。これにより、デフォルトのショートカット機能に関する情報の表示が別のショートカット機能に関する情報の表示とは異なる。
【００７７】
任意選択で、第１の加圧入力の圧力値が０から第１の閾値に変化する場合、加圧開始閾値（例えば、０．５Ｎ）が設定されてよい。すなわち、第１の加圧入力の圧力値が０．５Ｎより大きい場合は、圧力値があるとみなしてよく、第１の加圧入力の圧力値が０．５Ｎより小さい場合は、圧力値がないとみなしてよい。操作はタッチ操作などであってよい。第１の加圧入力の圧力値が０．５Ｎから第１の閾値へ増加した場合、陰影領域がディスプレイ装置に表示されてよく、例えば、陰影領域は操作されるアイコンの周りに表示される。圧力値が徐々に増加すると、それに応じて、圧力値が第１の閾値に達するまで陰影領域が徐々に増加する。ディスプレイ装置は、陰影領域が事前設定最大値に増加する前は、陰影領域を提示してよく、陰影領域が事前設定最大値に増加した場合、陰影領域の表示を止めて、少なくとも１つのショートカット機能を含むグラフィカルユーザインタフェースを提示する。圧力値が圧力増加期間中に減少した場合、それに応じて陰影領域も減少する。陰影領域は、ユーザの圧力値を示すためにユーザに提示され、これにより、圧力値が徐々に変化する現象がユーザに直感的に提示される。これにより、ユーザが圧力の大きさを感知する利便性をもたらすことができ、さらにユーザ体験を向上させて、ユーザが制御を行う利便性をもたらすことができる。
【００７８】
任意選択の実施形態において、デフォルトのショートカット機能に関する情報を対象としたマークを表示する段階は、別の非デフォルトのショートカット機能に関する情報にマークアイコンを追加することなく、デフォルトのショートカット機能に関する情報だけにマークアイコンを電子デバイスによって追加する段階を含む。少なくとも１つのショートカット機能のそれぞれに関する情報を電子デバイスによってディスプレイ装置に表示する段階の後に、本方法はさらに、ユーザがマークアイコンの位置を変更したことを電子デバイスが検出した場合、変更されたマークアイコンの位置に対応するショートカット機能をデフォルトのショートカット機能と判定する段階を含む。ユーザは、ドラッグ操作又は押下操作などの操作によって、マークアイコンの位置を変更してよい。このことは、本発明のこの実施形態において限定されない。
【００７９】
任意選択の実施形態において、少なくとも１つのショートカット機能のそれぞれに関する情報を電子デバイスによってディスプレイ装置に表示する段階の後に、本方法はさらに、少なくとも１つのショートカット機能に関する情報に対して押下操作があるかどうかを（例えば、ショートカット機能情報領域にユーザタッチがあるかどうか、又は発生した電流が事前設定閾値より大きい又はそれに等しいかどうかを検出することで）電子デバイスによって検出する段階と、少なくとも１つのショートカット機能のショートカット機能に関する情報に対して押下操作があったことが検出された場合、タップ位置に対応するショートカット機能を実施することを電子デバイスによって決定する段階とを含む。
【００８０】
具体的には、例えば、電子デバイスは第１の加圧入力の圧力値が０〜４００ｍｓの期間内に第１の閾値（例えば、１．７Ｎ）に達したことを検出し、電子デバイスは少なくとも１つのショートカット機能に関する情報を決定する。任意選択で、電子デバイスは、少なくとも１つのショートカット機能のそれぞれに関する情報を含むグラフィカルユーザインタフェースを表示する。例えば、マークアイコン（例えば、五角形）がグラフィカルユーザインタフェースの決定した位置（例えば、第１の位置）にある。ここで、マークアイコン（例えば、五角形）はデフォルトのショートカット機能（例えば、電子メール送信）を表すのに用いられる。すなわち、少なくとも１つのショートカット機能に関する情報を含むグラフィカルユーザインタフェースは、第１の加圧入力の圧力値が第１の事前設定期間内に第１の閾値に達した場合に表示される。グラフィカルユーザインタフェースは、少なくとも１つのショートカット機能のショートカット機能リストを含んでよい。少なくとも１つのショートカット機能のうち、あるショートカット機能は、マークアイコン（例えば、五角形）でマークされる。少なくとも１つのショートカット機能のアイコンを含むグラフィカルユーザインタフェースが表示された後に、例えば、ユーザは、電子メール送信を表す第１の位置から電子メール受信を表す第２の位置にマークアイコン（例えば、五角形）をドラッグしてよい。これは、ユーザがデフォルトのショートカット機能を電子メール送信から電子メール受信に変更することを示す。設定が完了した後に、第１のアイコンに対する第２の加圧入力の圧力値が事前設定された第２の事前設定条件を満たしている場合、電子メール受信のデフォルト機能が実施されてよい。
【００８１】
マークアイコンは文字アイコンであってもよく、任意の形状の図式であってもよいことを理解されたい。マークアイコンが果たす役割は、デフォルトのショートカット機能を示すことである。また、マークアイコンはデフォルトのショートカット機能の近くにあってもよく、又はデフォルトのショートカット機能のアイコン上にあってもよいことを理解されたい。本発明のこの実施形態では、マークアイコンとショートカット機能のアイコンとの間の位置関係に何の限定も課されない。デフォルトのショートカット機能は、デフォルトのショートカット機能のアイコン又は文字の表示外観を変更することで、例えば、別のショートカット機能のアイコン又は文字の表示外観と異なる色、フォント、陰影、アニメーション、若しくは３次元表示、又はこれらの任意の組み合わせを用いることでマークされてよい。このことは、本発明のこの実施形態において限定されない。
【００８２】
電子デバイスは、少なくとも１つのショートカット機能に関する情報をリスト形式でディスプレイ装置に提示してよく、例えば、ショートカット機能のアイコンを提示する。ショートカット機能のアイコンはディスプレイ装置に表示され、ショートカット機能リストをユーザに直感的に提示する。さらに、マークアイコンがデフォルトのショートカット機能をマークするのに用いられ、マークアイコンでマークされたデフォルトのショートカット機能をユーザが変更する必要がある場合、ユーザはマークアイコンの位置でスライド又はタップを行うことによって新たなデフォルトのショートカット機能を決定できる。このように、お気に入りのショートカット機能、頻繁に用いられるショートカット機能などが、ユーザの要求に応じて柔軟に変更されてよく、ユーザ体験がさらに改善され得る。
【００８３】
任意選択の実施形態において、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第１の事前設定期間内に第２の閾値に達したことを電子デバイスが検出した場合、少なくとも１つのショートカット機能のうちデフォルトのショートカット機能を作動させる段階を含む。ここで、第２の閾値は第１の閾値より大きい。第１の閾値は、少なくとも１つのショートカット機能に関する情報を決定するための加圧閾値と理解されてよい。第２の閾値は、少なくとも１つのショートカット機能のうちデフォルトのショートカット機能を実施するための加圧閾値と理解されてよい。
【００８４】
任意選択で、第２の加圧入力の圧力値が第１の閾値から第２の閾値に変化する場合、デフォルトのショートカット機能を作動させるための加圧開始閾値（例えば、３．０Ｎ）が設定されてよい。すなわち、第２の加圧入力の圧力値が３．０Ｎより大きい場合、デフォルトのショートカット機能を作動させてよいとみなす。あるいは、第２の加圧入力の圧力値が３．０Ｎより小さい場合、デフォルトのショートカット機能を作動させる可能性はないとみなしてよい。第２の加圧入力の圧力値が、デフォルトのショートカット機能を作動させる加圧開始閾値から第２の閾値に増加した場合、陰影領域がディスプレイ装置に表示されてよい。例えば、圧力値に対応する陰影領域がデフォルトのショートカット機能に表示領域に表示される。すなわち、圧力値が徐々に増加した場合、それに応じて陰影領域も増加する。圧力値は第２の閾値に達した場合、現在のグラフィカルユーザインタフェースはもう表示されなくなるが、デフォルトのショートカット機能用のグラフィカルユーザインタフェースがディスプレイ装置に表示される。陰影領域は、ユーザの圧力値を示すためにユーザに提示され、これにより、圧力値が徐々に変化する現象がユーザに直感的に提示される。これにより、ユーザが圧力の大きさを感知する利便性をもたらすことができ、さらにユーザ体験を向上させることができる。本発明のこの実施形態において、デフォルトのショートカット機能を作動させるのに用いられる全ての閾値に対して、開始閾値が設定されてよいことを理解されたい。開始閾値の役割は、閾値範囲の感知を開始することである。加圧入力（第１又は第２）の圧力値が開始閾値からショートカット機能を実施する閾値へと徐々に変化していることを電子デバイスが検出した場合、ユーザの圧力値を示すために陰影領域がユーザに提示される。これにより、圧力値が徐々に変化する現象がユーザに直感的に提示される。これにより、ユーザが圧力の大きさを感知する利便性をもたらすことができ、さらにユーザ体験を向上させることができる。
【００８５】
任意選択の実施形態において、第２の加圧入力の圧力値が第１の事前設定期間内に第２の閾値に達したことを電子デバイスが検出した場合、少なくとも１つのショートカット機能のうちデフォルトのショートカット機能を作動させる段階は、第２の加圧入力の圧力値が第１の事前設定期間内に第２の閾値に達したことを電子デバイスが検出した場合、第１のアイコンに加えられた第２の加圧入力の圧力値を第２の事前設定期間の間に電子デバイスによって継続して検出する段階と、第２の加圧入力の検出された圧力値が第２の事前設定期間の間に常に第２の閾値より大きい又はそれに等しいと電子デバイスが判定した場合、少なくとも１つのショートカット機能のうちデフォルトのショートカット機能を作動させる段階とを含む。ここで、第２の事前設定期間は、第３の時点と第４の時点との間の時間間隔であり、第３の時点は第２の加圧入力の圧力値が第２の閾値に達する時間である。
【００８６】
具体的には、第２の加圧入力の圧力値が３．４Ｎ（第２の閾値）に達する時点が４００ｍｓ（第３の時点）である場合、電子デバイスはデフォルトのショートカット機能を作動させないが、第２の加圧入力の圧力値が次の第２の事前設定期間の間に、例えば５０ｍｓの間に（すなわち、第４の時点は４５０ｍｓである）３．４Ｎ（第２の閾値）より大きいかどうかを継続して判定する。このように、第２の加圧入力の圧力値が所与の第１の事前設定期間内に第２の閾値に達することができた場合、デフォルトのショートカット機能を有効にしなくてよい。それは、ユーザが押下過程で誤操作を行うかもしれない、例えば、偶発的なタップによって、第１のアイコンへの第２の加圧入力の圧力値が第２の閾値に達することになるかもしれないからである。指定された遅延の後に、決定する段階が再度行われ、誤操作がないと判定する。すなわち、第２の加圧入力の圧力値が第２の閾値に達した後に、第２の事前設定期間の間、第２の加圧入力の圧力値が第２の閾値より大きい又はそれに等しい状態のままであるかどうかを判定する。第２の加圧入力の圧力値が第２の事前設定期間の間、その状態のままである場合、電子デバイスは、ユーザが誤操作を行っていないこと、且つデフォルトのショートカット機能を本当に実施する必要があることを判定し、電子デバイスはデフォルトのショートカット機能を作動させる。
【００８７】
任意選択の実施形態において、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第４の閾値に達したことを電子デバイスが検出した場合、少なくとも１つのショートカット機能のうちデフォルトのショートカット機能を作動させる段階を含む。ここで、第４の閾値は第１の閾値より大きい。
【００８８】
任意選択の実施形態において、第２の加圧入力の圧力値が第５の閾値より大きい又はそれに等しく且つ第４の閾値より小さいことを電子デバイスが検出した場合、電子デバイスは、第１のアイコンに加えられた第２の加圧入力の圧力値が次の第３の事前設定期間の間に常に第５の閾値より大きい又はそれに等しく且つ第４の閾値より小さいかどうかを判定し、第１のアイコンに加えられた第２の加圧入力の圧力値が第３の事前設定期間の間に常に第５の閾値より大きい又はそれに等しく且つ第４の閾値より小さい場合、少なくとも１つのショートカット機能のうちデフォルトのショートカット機能を作動させる。ここで、第３の事前設定期間は、第５の時点と第６の時点との間の時間間隔であり、第５の時点は、第２の加圧入力の圧力値が第５の閾値に達する時間である。例えば、第２の加圧入力の圧力値は４００ｍｓの時点で第５の閾値の２．４Ｎに達し、第３の事前設定期間は１００ｍｓであってよい。すなわち、第５の時点は４００ｍｓであり、第６の時点は５００ｍｓである。第４の閾値は第５の閾値より大きい。本発明のこの実施形態では、第４の閾値と第２の閾値との間の数値関係に何の限定も課されない。第４の閾値は第２の閾値より大きい、それより小さい、又はそれに等しいなどであってもよい。もちろん、第２の閾値と第５の閾値との間の数値関係は限定されない。第２の閾値は第５の閾値より大きく、第５の閾値は第１の閾値より大きいことが好ましい。
【００８９】
実際の応用過程では、ハードウェア故障が発生することがあり、検出された圧力値と実際の状況との間に比較的大きなずれが生じ、これにより、ユーザがどれだけ圧力を加えているかにかかわらず、事前設定閾値に達することができない。さらに、異なるユーザの異なる押下動作の間に比較的大きな差異が生じることがある。すなわち、一部のユーザの指圧値が指定された第４の閾値に達するのは容易かもしれないが、一部のユーザの指圧値が指定された第４の閾値に達するのは困難かもしない。これらの場合においても、事前設定機能を依然として確実に実施できるようにするために、この実施形態が用いられてよい。すなわち、ユーザの第２の加圧入力の圧力値が第４の閾値に達していないが、事前設定された第５の閾値に達していることを電子デバイスが検出した場合、電子デバイスは次の（第３の）事前設定期間の間に、第５の閾値に達したユーザの第２の加圧入力の圧力値が、第３の事前設定期間の間その状態のままであるかどうかを継続して検出し、第２の加圧入力の圧力値が事前設定された第３の事前設定期間の間その状態のままであると電子デバイスが判定した後に、電子デバイスはユーザがデフォルトのショートカット機能を操作する必要があると判定し、電子デバイスはデフォルトのショートカット機能を作動させる。第４の閾値から第５の閾値を減算して求められる値が、圧力値に対する補正とみなされてよい。この実施形態によれば、事前設定閾値より小さい圧力値を用いることで、ある事前設定機能が特別な場合に実施されてよい。これにより、実施の難しさが減り、使いやすさが増す。
【００９０】
任意選択の実施形態において、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第３の閾値から第１の閾値までの範囲に少なくとも２回入り、且つそれらの少なくとも２回の間の時間間隔が事前設定された２段階加圧時間条件を満たしていると電子デバイスが判定した場合、少なくとも１つのショートカット機能のうちデフォルトのショートカット機能を作動させる段階を含む。ここで、第１の閾値は第３の閾値より大きく、事前設定された２段階加圧時間条件は、例えば、少なくとも２回の間の時間間隔が第５の事前設定期間であることでよく、第５の事前設定期間は、第２の加圧入力が始まる時点から第２の加圧入力が終わる時点までであってよい。例えば、第２の加圧入力の圧力値が１〜１．９Ｎの範囲に２回入った場合、電子デバイスは、少なくとも１つのショートカット機能のうちデフォルトのショートカット機能を実施すると決定する。このことは、本発明のこの実施形態において限定されない。
【００９１】
任意選択の実施形態において、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第６の閾値より小さいと電子デバイスが判定した場合、第２の加圧入力の圧力値を電子デバイスによって継続して検出する段階と、第２の加圧入力の圧力値が第７の閾値に達したと電子デバイスが判定した場合、少なくとも１つのショートカット機能のうちデフォルト機能を作動させる段階とを含む。ここで、第６の閾値は第１の閾値より小さく、第７の閾値は第１の閾値より大きい。
【００９２】
任意選択の実施形態において、第１の加圧入力が第１の事前設定条件を満たしていると判定した場合、少なくとも１つのショートカット機能に関する情報を電子デバイスによって決定する段階は、第１の加圧入力の圧力値が第２の閾値より大きい又はそれに等しいかどうかを電子デバイスによって判定し、第１の加圧入力の圧力値が第２の閾値より大きい又はそれに等しい場合、少なくとも１つのショートカット機能に関する情報を決定する段階を含む。また、第２の加圧入力が第２の事前設定条件を満たしていると電子デバイスが判定した場合、少なくとも１つのショートカット機能のうちデフォルトのショートカット機能を作動させる段階は、第２の加圧入力の圧力値が第４の事前設定期間の間に常に第２の閾値より大きい又はそれに等しいかどうかを電子デバイスによって判定し、第１のアイコンに加えられた第２の加圧入力の圧力値が第４の事前設定期間の間に常に第２の閾値より大きい又はそれに等しい場合、少なくとも１つのショートカット機能のうちデフォルトのショートカット機能を作動させる段階を含む。ここで、第４の事前設定期間は、第７の時点と第８の時点との間の時間間隔であり、第７の時点は第２の加圧入力の圧力値が第２の閾値に達する時間である。例えば、電子デバイスは、第２の加圧入力の圧力値が３．４Ｎ（第２の閾値）より大きいかどうかを検出した場合、少なくとも１つのショートカット機能に関する情報を決定し、第２の加圧入力の圧力値が１００ｍｓ（第４の期間）の間、３．４Ｎより大きい状態のままである場合、デフォルトのショートカット機能を作動させてよい。
【００９３】
好ましい実施形態において、電子デバイスは、第１の加圧入力の圧力値が第１の事前設定期間内に第１の閾値に達した場合、少なくとも１つのショートカット機能に関する情報を決定する。任意選択で、少なくとも１つのショートカット機能に関する情報は、ディスプレイ装置に表示されてよい。電子デバイスは、第２の加圧入力の圧力値が第１の事前設定期間内に第２の閾値（第１の閾値より大きい）に達した場合、デフォルトのショートカット機能を作動させると決定する。第２の加圧入力の圧力値が第１の閾値に達したが、第１の事前設定期間内に第２の閾値に達していない、且つ第１の事前設定期間の後に第２の加圧入力の圧力値が第５の閾値に達した場合、電子デバイスは、第１のアイコンに実行された第２の加圧入力の圧力値を第３の事前設定期間の間に継続して検出する。第２の加圧入力の圧力値が第３の期間の間に常に第５の閾値より大きい場合、電子デバイスはデフォルトのショートカット機能を作動させると決定する。第２の加圧入力の圧力値が第３の事前設定期間の間に常に第５の閾値より大きい又はそれに等しく且つ第４の閾値より小さいことを電子デバイスが検出した場合、電子デバイスはデフォルトのショートカット機能を作動させる。第２の加圧入力の圧力値が第６の閾値（０より大きく且つ第１の閾値より小さい）より小さいことを第１の事前設定期間の後に電子デバイスが検出した場合、電子デバイスは第２の加圧入力の圧力値を継続して検出し、第２の加圧入力の圧力値が第７の閾値（第１の閾値より大きい）に達した場合、電子デバイスはデフォルトのショートカット機能を作動させる。
【００９４】
本発明のこの実施形態では、第６の閾値は第１の閾値より小さく、第３の閾値は第１の閾値より小さく、第３の閾値と第６の閾値との間の数値関係は限定されなくてよいことを理解されたい。もちろん、第３の閾値は第６の閾値より大きくてよく、第２の閾値は第１の閾値より大きく、第５の閾値は第１の閾値より大きく、第７の閾値は第１の閾値より大きく、第２の閾値と第５の閾値と第７の閾値との間の数値関係は限定されなくてよいことが好ましい。もちろん、第２の閾値は第５の閾値より大きくてよく、第５の閾値は第７の閾値より大きく、第４の閾値は第５の閾値より大きく、第４の閾値と第２の閾値との間の数値関係は限定されなくてよいことが好ましい。第４の閾値は第２の閾値に等しくてよく、又は第２の閾値は第４の閾値より大きくてもよい。本発明のこの実施形態で言及されている第１の閾値、第２の閾値、第３の閾値、第４の閾値、第５の閾値、第６の閾値、及び第７の閾値は、内部論理関係に従って決定されてよい。具体例として、図４は、第１の閾値（Ｐ１）、第２の閾値（Ｐ２）、第３の閾値（Ｐ３）、第４の閾値（Ｐ４）、第５の閾値（Ｐ５）、第６の閾値（Ｐ６）、及び第７の閾値（Ｐ７）の線グラフである。もちろん、この線グラフは単なる一例にすぎず、本発明のこの実施形態における全ての閾値間の数値関係を含んでいない。この図の０〜ｔ１の期間が、第１の事前設定期間と理解されてよい。
【００９５】
したがって、本発明のこの実施形態において提供されるマンマシン対話方法によれば、電子デバイスは、デフォルトのショートカット機能を作動させるためのユーザの異なる操作に従って補償閾値を設定するか、又は電子デバイスは、ユーザの実際の目的がデフォルトのショートカット機能を実施することであるかどうかを、圧力値残存期間に従って検出してもよい。電子デバイスは代替的に、デフォルトのショートカット機能に関する情報を含むグラフィカルユーザインタフェースを提示してよい。これにより、ユーザはデフォルトのショートカット機能を必要に応じて再設定する。これにより、ユーザ操作の柔軟性を向上させることができる。圧力値は第１のアイコンの位置で検出され、デフォルトのショートカット機能を実施する。これにより、複数回の選択の間に引き起こされる誤操作を回避でき、ユーザの異なる操作に応じた用い方ができ、デフォルト機能を有効にするスピードを上げることができ、さらにユーザ体験を向上させることができる。
【００９６】
上述のプロセスの順序番号は実行順序を意味しないことを理解されたい。これらのプロセスの実行順序はプロセスの機能及び内部論理に従って決定されるべきであり、本発明の実施形態の実装プロセスに対するいかなる限定とも解釈されるべきではない。
【００９７】
以下では、本発明のこの実施形態において提供されるマンマシン対話方法を詳細に説明する。以下に説明される実施形態は、単なる本発明の一部の実施形態にすぎないことを理解されたい。本発明の実施形態のいかなる組み合わせも、本発明の保護範囲に含まれるものとする。
【００９８】
図５に示す一例では、図５の（ａ）の指で押下されたＡＰＰアイコン位置で加圧入力が最初に検出される。第１の加圧入力の圧力値が０〜８００ｍｓの期間（第１の事前設定期間）内に１．９Ｎ（第１の閾値）に達した場合、図５の（ｂ）に示すように、ショートカット機能リストを含むグラフィカルユーザインタフェースが表示される。五角形のアイコンが機能１の近くにマークされている。機能リストを含むグラフィカルユーザインタフェースが表示された後に、ＡＰＰアイコン位置における第２の加圧入力の圧力値が２．７Ｎ（例えば、第４の閾値又は第７の閾値）を超えたかどうかが図５の（ｂ）で判定される。第２の加圧入力の圧力値が２．７Ｎを超えた場合、電子デバイスは機能１を作動させ、機能１に対応するグラフィカルユーザインタフェースが図５の（ｃ）に示すように表示される。
【００９９】
図６に示す一例では、図６の（ａ）の指で押下されたＡＰＰアイコン位置で第１の加圧入力が最初に検出される。第１の加圧入力の圧力値が０〜８００ｍｓの期間（第１の事前設定期間）内に１．９Ｎ（第１の閾値）に達した場合、図６の（ｂ）に示すように、機能リストを含むグラフィカルユーザインタフェースが表示される。五角形のアイコンが機能１の近くの第１の位置にマークされている。機能リストを含むグラフィカルインタフェースが図６の（ｂ）に示すように表示された後に、ユーザが五角形のアイコンを第１の位置から機能３の近くの第２の位置にスライドさせたことを電子デバイスが検出した場合、電子デバイスは機能３をデフォルトのショートカット機能と決定する。この場合、ユーザの指は第２の位置を離れてＡＰＰアイコン位置に戻り、図６の（ｄ）の指で押下されたＡＰＰアイコン位置で第２の加圧入力の圧力値が２．７Ｎ（第４の閾値又は第７の閾値）を超えたかどうかが判定される。第２の加圧入力の圧力値が２．７Ｎを超えた場合、電子デバイスは機能３を実施し、機能３に対応するグラフィカルユーザインタフェースが図６（ｅ）に示すように表示される。あるいは、ユーザが図６の（ｄ）において機能３用のアイコンをタップしたことが検出された場合、電子デバイスは機能３を実施し、機能３に対応するグラフィカルユーザインタフェースが図６（ｅ）に示すように表示される。
【０１００】
図５に示す一例では、図５の（ａ）の第１の位置（例えば、図の指で押下されたＡＰＰアイコン位置）で第１の加圧入力が最初に検出される。第１の加圧入力の圧力値が０〜８００ｍｓの期間内（第１の事前設定期間内）に１Ｎ（第３の閾値）〜１．９Ｎ（第１の閾値）の範囲に２回入った場合、少なくとも１つのショートカット機能のリストを含むグラフィカルユーザインタフェースが図５の（ｂ）に示すように表示される。五角形のアイコンが機能１の近くにマークされている。機能リストを含むグラフィカルインタフェースが表示された後に、図５の（ｂ）の指で押下されたＡＰＰアイコン位置における第２の加圧入力の圧力値が２．７Ｎ（例えば、第４の閾値又は第７の閾値）を超えたかどうかが図５の（ｂ）で判定される。第２の加圧入力の圧力値が２．７Ｎを超えた場合、電子デバイスは図５の（ｃ）において機能１に対応するグラフィカルユーザインタフェースを表示する。
【０１０１】
図６に示す一例では、図６の（ａ）の指で押下されたＡＰＰアイコン位置で加圧入力が最初に検出される。第２の加圧入力の圧力値が０〜８００ｍｓの期間（第１の事前設定期間）の後に、１Ｎ（第３の閾値）〜１．９Ｎ（第１の閾値）の範囲に２回入った場合、機能リストを含むグラフィカルユーザインタフェースが図６の（ｂ）に示すように表示される。五角形のアイコンが機能１の近くの第１の位置にマークされている。機能リストを含むグラフィカルインタフェースが表示された後に、ユーザが図６の（ｃ）に示すように五角形のアイコンを第１の位置から機能３の近くの第２の位置にスライドさせたことを電子デバイスが検出した場合、電子デバイスは図６の（ｅ）に示すように機能３をデフォルトのショートカット機能と決定する。この場合、指は第２の位置を離れて第１の位置に戻り、指で押下された図６の（ｄ）のＡＰＰアイコン位置において第２の加圧入力の圧力値が２．７Ｎ（例えば、第４の閾値又は第７の閾値）を超えたかどうかが判定される。第２の加圧入力の圧力値が２．７Ｎを超えた場合、電子デバイスは機能３に対応する命令に応答し、機能３に対応するグラフィカルユーザインタフェースが図６の（ｅ）に示すように表示される。あるいは、ユーザが図６の（ｄ）の第２の位置でタップを行ったことが検出された場合、電子デバイスは機能３に対応する命令に応答し、機能３に対応するグラフィカルユーザインタフェースが図６（ｅ）に示すように表示される。
【０１０２】
図６に示す一例では図６の（ｂ）に基づいて、すなわち、機能リストが表示された後に、アイコンを指で押下するたびに、五角形のアイコンの位置が変わる。あるいは、図６の（ｂ）に基づいて、ＡＰＰアイコンを指で押下（わずかに押下）するたびに、選択された機能が順番に変わる。例えば、機能リストが表示された場合、図の（ｂ）の機能１などの、五角形のアイコンでマークされた機能項目がデフォルトで選択されている。ＡＰＰアイコンを指で再度押下した場合、機能２が選択されるか、又は機能４が選択される。アイコンを指で強く押下すると、選択された機能が作動する。例えば、機能４が選択された後にユーザがＡＰＰアイコンを強く押下した場合、機能４が作動する。このように、ユーザは異なる程度の力をアイコンに入力するだけで、指を移動する必要なく特定の機能を作動させることができる。これにより、誤操作を回避でき、操作効率を向上させることができる。
【０１０３】
図７に示す一例では、図７の（ａ）の指で押下されたＡＰＰアイコン位置で第２の加圧入力の圧力値が最初に検出される。第２の加圧入力の圧力値が０〜８００ｍｓの期間内（第１の事前設定期間内）に３．４Ｎ（第２の閾値）に達した場合、電子デバイスは機能１を実施し（例えば、機能１はデフォルトのショートカット機能である）、機能１に対応するグラフィカルユーザインタフェースが図７（ｂ）に示すように表示される。第２の加圧入力の圧力値は、０〜８００ｍｓの期間内に３．４Ｎ（第２の閾値）に達した場合、必ず１．９Ｎ（第１の閾値）に達しており、電子デバイスは少なくとも１つのショートカット機能に関する情報も決定できるが、ショートカット機能を含むリストをユーザに表示しなくてもよいことを理解されたい。
【０１０４】
図７に示す一例では、図７の（ａ）の指で押下されたＡＰＰアイコン位置で加圧入力の圧力値が最初に検出される。第１の加圧入力の圧力値が１．９Ｎ（第１の閾値）に達したが、０〜８００ｍｓの期間内（第１の事前設定期間内）に３．４Ｎ（第２の閾値）に達していない場合、電子デバイスは第２の加圧入力の圧力値を継続して検出する。第２の加圧入力の圧力値が３．５Ｎ（第４の閾値）に達したか又は３．０Ｎ（第５の閾値）に達し、１００ｍｓ（第３の事前設定期間）の間その状態のままである場合、電子デバイスは機能１を実施し（機能１はデフォルトのショートカット機能であると仮定）、機能１に対応するグラフィカルユーザインタフェースが図７の（ｂ）に示すように表示される。第１の加圧入力の圧力値は０〜８００ｍｓの期間内に１．９Ｎ（第１の閾値）に達し、電子デバイスは少なくとも１つのショートカット機能に関する情報も決定できるが、ショートカット機能を含むリストをユーザに表示しなくてもよいことを理解されたい。繰り返しを避けるために、具体例を以下に１つずつ列挙することはない。
【０１０５】
好ましい実施形態において、図８は本発明の一実施形態によるマンマシン対話方法３００を示す。方法３００は以下の段階を含む。
【０１０６】
Ｓ３０１：電子デバイスは第１のアイコンの位置で圧力値Ｐを検出する。
【０１０７】
Ｓ３０２：電子デバイスは、０〜ｔ１の期間の間にＰがＰ１（第１の閾値）より大きいかどうかを判定する。
【０１０８】
Ｓ３０３：０〜ｔ１の期間の間にＰがＰ１より小さく、且つＰがＰ３〜Ｐ１の範囲に少なくとも２回入った場合、電子デバイスは少なくとも１つのショートカット機能に関する情報を決定する。
【０１０９】
任意選択で、Ｓ３０２及びＳ３０３の順序には何の限定も課されない。例えば、段階Ｓ３０２は段階Ｓ３０１の後に行われてよく、又は段階Ｓ３０３は段階Ｓ３０１の後に行われてよく、又は段階Ｓ３０２は段階Ｓ３０１の後に行われ、段階Ｓ３０３は段階Ｓ３０２が行われた後に行われる。このことは、本発明のこの実施形態において限定されない。
【０１１０】
Ｓ３０４：０〜ｔ１の期間の間にＰがＰ１より大きい場合、電子デバイスは少なくとも１つのショートカット機能に関する情報を決定する。
【０１１１】
任意選択で、少なくとも１つのショートカット機能に関する情報が決定された後に、少なくとも１つのショートカット機能に関する情報がユーザに提示されてよく、又はデフォルトのショートカット機能を表すマークアイコンが提示されてもよい。任意選択で、ユーザは、マークアイコン位置を変更することで、デフォルトのショートカット機能を再設定してよい。
【０１１２】
Ｓ３０５：電子デバイスは、０〜ｔ１の期間の間にＰがＰ２（第２の閾値）より大きいかどうかを判定する。
【０１１３】
Ｓ３０６：電子デバイスは、０〜ｔ１の期間の間にＰがＰ２より大きいと判定した場合、デフォルトのショートカット機能を作動させる。
【０１１４】
Ｓ３０７：０〜ｔ１の期間の間にＰがＰ２より大きいと電子デバイスが判定した場合、電子デバイスは第２の加圧入力の圧力値がΔｔ２（第２の事前設定期間）の間、Ｐ４より大きい状態のままであるかどうかを継続して判定する。そして、第２の加圧入力の圧力値がΔｔ２（第２の事前設定期間）の間、Ｐ２より大きい状態のままである場合、電子デバイスはデフォルトのショートカット機能を作動させる。又は、第２の加圧入力の圧力値がΔｔ２（第２の事前設定期間）より短い期間の間、Ｐ２より大きい状態のままである場合、現在の操作インタフェースは変わらないままである。
【０１１５】
Ｓ３０８：０〜ｔ１の期間の間にＰがＰ２（第２の閾値）より小さいと電子デバイスが判定した場合、電子デバイスはＰが０〜ｔ１の期間の後にＰ４（第４の閾値）より大きいかどうかを判定し、ＰがＰ４より大きい場合、電子デバイスはデフォルトのショートカット機能を作動させる。
【０１１６】
Ｓ３０９：ＰがＰ４より小さい又はそれに等しい場合、電子デバイスはＰがΔｔ３（第３の事前設定期間）の間に常にＰ５（第５の閾値）より大きく且つＰ４（第４の閾値）より小さいかどうかを判定する。そして、ＰがΔｔ３の間に常にＰ５より大きく且つＰ４より小さい場合、電子デバイスはデフォルトのショートカット機能を作動させる。又は、ＰがΔｔ３の間に常にＰ５より大きく且つＰ４より小さいという条件を常には満たしていない場合、現在の操作インタフェースは変わらないままである。
【０１１７】
Ｓ３１０：ｔ＞ｔ１且つＰ＜Ｐ４の場合、電子デバイスは、ＰがＰ３〜Ｐ１の範囲に少なくとも２回入ったかどうかを判定し、ＰがＰ３〜Ｐ１の範囲に少なくとも２回入った場合、電子デバイスはデフォルトのショートカット機能を作動させる。
【０１１８】
Ｓ３１１：ｔ＞ｔ１且つＰ＜Ｐ４の場合、電子デバイスはＰがＰ６（第６の閾値）より小さいかどうかを判定する。又は、ＰがＰ３〜Ｐ１の範囲に入った回数が２回より少ない場合、電子デバイスはＰがＰ６（第６の閾値）より小さいかどうかを判定する。そして、ＰがＰ６より大きい場合、インタフェースは変わらないままである。
【０１１９】
Ｓ３１２：ｔ＞ｔ１の場合にＰがＰ６より小さくなった後に、電子デバイスはＰがＰ７（第７の閾値）より大きいかどうかを判定する。そして、ＰがＰ７より大きい場合、電子デバイスはデフォルトのショートカット機能を作動させる。又はＰがＰ７より小さい又はそれに等しい場合、インタフェースは変わらないままである。
【０１２０】
図８は単なる好ましい実施形態を示したにすぎないことを理解されたい。デフォルトのショートカット機能を実施するために、図８の複数の段階の組み合わせが用いられてよい。例えば、Ｓ３０１とＳ３０２及び／又はＳ３０３とＳ３０４とＳ３０５とＳ３０６、Ｓ３０１とＳ３０２及び／又はＳ３０３とＳ３０４とＳ３０５とＳ３０７とＳ３０６、Ｓ３０１とＳ３０２及び／又はＳ３０３とＳ３０４とＳ３０５とＳ３０８とＳ３０６、Ｓ３０１とＳ３０２及び／又はＳ３０３とＳ３０４とＳ３０５とＳ３０８とＳ３０９とＳ３０６、Ｓ３０１とＳ３０２及び／又はＳ３０３とＳ３０４とＳ３０５とＳ３０８とＳ３１０とＳ３０６、Ｓ３０１とＳ３０２及び／又はＳ３０３とＳ３０４とＳ３０５とＳ３０８とＳ３１１とＳ３１２とＳ３０６、又は、Ｓ３０１とＳ３０２及び／又はＳ３０３とＳ３０４とＳ３０５とＳ３０８とＳ３１０とＳ３１１とＳ３１２とＳ３０６である。
【０１２１】
任意選択で、Ｓ３０４の後のデフォルトのショートカット機能を作動させるための任意の分岐が、Ｓ３０４の直後に実行され始めてよい。例えば、Ｓ３０１とＳ３０２及び／又はＳ３０３とＳ３０４とＳ３０８とＳ３０６、Ｓ３０１とＳ３０２及び／又はＳ３０３とＳ３０４とＳ３０９とＳ３０６、Ｓ３０１とＳ３０２及び／又はＳ３０３とＳ３０４とＳ３０８とＳ３０９とＳ３０６、Ｓ３０１とＳ３０２及び／又はＳ３０３とＳ３０４とＳ３１０とＳ３０６、Ｓ３０１とＳ３０２及び／又はＳ３０３とＳ３０４とＳ３１１とＳ３１２とＳ３０６、又は、Ｓ３０１とＳ３０２及び／又はＳ３０３とＳ３０４とＳ３１０とＳ３１１とＳ３１２とＳ３０６である。
【０１２２】
一実施形態として、上述の実施形態のパラメータは代替的に以下の値を用いてよい。すなわち、Ｐ１＝２．５Ｎ、Ｐ３＝０．５×Ｐ１、Ｐ７≦Ｐ３、Ｐ８＝Ｐ１＋０．２Ｎ、Ｐ５＝Ｐ１＋０．３Ｎ、Ｐ４＝Ｐ１＋０．４５Ｎ、Ｐ６≧Ｐ４、及びｔ１＝８００ｍｓである。
【０１２３】
したがって、本発明のこの実施形態において提供されるマンマシン対話方法によれば、電子デバイスは、デフォルトのショートカット機能を作動させるためのユーザの異なる操作に従って補償閾値を設定するか、又は電子デバイスは、ユーザの実際の目的がデフォルトのショートカット機能を実施することであるかどうかを圧力値残存期間に従って検出してもよい。電子デバイスは代替的に、デフォルトのショートカット機能用のアイコンを含むグラフィカルユーザインタフェースをユーザに表示してよい。これにより、ユーザはデフォルトのショートカット機能を必要に応じて再設定する。これにより、ユーザ操作の柔軟性を向上させることができる。圧力値はＡＰＰアイコン位置で検出され、デフォルトのショートカット機能を実施する。これにより、複数回の選択の間に引き起こされる誤操作を回避でき、異なる操作をするユーザが用いることができ、デフォルトのショートカット機能を有効にするスピードを上げることができ、さらにユーザ体験が向上する。
【０１２４】
上述の事項は、図１から図８を参照してマンマシン対話方法を詳細に説明している。以下では、図９及び図１０を参照して本発明の実施形態による電子デバイスを詳細に説明する。本発明の実施形態において説明される電子デバイスは、上述の方法を実施する電子デバイスである。
【０１２５】
図９は、本発明の一実施形態による電子デバイス４００の概略図である。電子デバイス４００は、ディスプレイ装置４１０と、感圧面４２０と、センサ４３０と、プロセッサ４４０とを含んでよい。センサ４３０は１つ又は複数である。プロセッサ４４０も１つ又は複数である。
【０１２６】
具体的には、少なくとも１つのアイコンがディスプレイ装置４１０に表示される。少なくとも１つのショートカット機能が、少なくとも１つのアイコンのうち第１のアイコンによってマークされた第１のソフトウェアプログラム用に事前設定される。センサ４３０は、第１のアイコンに加えられた第１の加圧入力を感圧面４２０で検出するように構成される。プロセッサ４４０は、第１の加圧入力が第１の事前設定条件を満たしていると判定した場合、少なくとも１つのショートカット機能に関する情報を決定するように構成される。センサ４３０はさらに、第１の加圧入力を検出した後に、第１のアイコンに加えられる第２の加圧入力を継続して検出するように構成される。プロセッサ４４０はさらに、第２の加圧入力が第２の事前設定条件を満たしていると判定した場合、少なくとも１つのショートカット機能のうちデフォルトのショートカット機能を作動させるように構成される。
【０１２７】
ディスプレイ装置４１０は感圧面と組み合わされてタッチスクリーンを形成してよく、又はディスプレイ装置４１０及び感圧面は、例えば、タッチパッドとディスプレイ装置とに分離されてもよいことを理解されたい。代替的に、センサ４３０はディスプレイ装置４１０及び感圧面と組み合わされてよい。すなわち感圧式タッチスクリーンが形成される。センサ４３０、ディスプレイ装置４１０、及び感圧面は互いに分離されてよく、又はセンサ４３０、ディスプレイ装置４１０、及び感圧面は２つ１組方式で組み合わされ、例えば、タッチスクリーンと感圧プレート、感圧式スクリーンとタッチパッド、又はディスプレイ装置と感圧式タッチパッドとが組み合わされる。このことは、本発明のこの実施形態において限定されない。
【０１２８】
本発明のこの実施形態では、センサ４３０は抵抗式センサ、静電容量式センサ、誘導式センサなどであってよい。センサ４３０は１つ又は複数でよい。センサ４３０は、電子デバイス４００の１つ又は複数の位置、例えば、ディスプレイ装置４１０の下部又はその周りに配置されてよく、電子デバイス４００の外面の少なくとも１つの位置で圧力を検出するように構成されてよい。例えば、ユーザがタップ、スライド、又は特定のジェスチャなどのタッチ操作をディスプレイ装置４１０のアイコンに対して行った場合、センサ４３０は、ユーザのタッチ操作によって生じた抵抗、静電容量、又はインダクタンスなどの回路パラメータの変化を感知できる。任意選択で、センサ４３０は回路パラメータの変化に関する関連情報をプロセッサ４４０に送信してよい。プロセッサ４４０は、回路パラメータの変化に関する関連情報に従って圧力値を決定してよい。別の任意選択の実施形態では、センサ１２０は圧力検出コンポーネントと圧力制御装置とを含んでよい。圧力検出コンポーネントは、ユーザのタッチ操作によって生じた回路パラメータの変化を感知するように構成される。圧力制御装置は、圧力検出コンポーネントによって検出された回路パラメータの変化に従って、圧力値を決定し、決定された圧力値をプロセッサ４４０に送信するように構成されてよい。このことは、本発明のこの実施形態において限定されない。
【０１２９】
このように、ユーザがショートカット機能を実施する必要がある場合、ユーザは、第１のアイコンを選択してからショートカット機能を選択する代わりに、選択を１回だけ行って、少なくとも１つのショートカット機能のうちデフォルトのショートカット機能を実施する。これにより、複数回の選択の間に引き起こされる誤操作を回避でき、さらにデフォルトのショートカット機能を有効にするスピードを上げることができるので、ユーザ体験を向上させることができる。
【０１３０】
任意選択の実施形態において、プロセッサ４４０は具体的に、第１の加圧入力の圧力値が第１の事前設定期間内に第１の閾値に達した場合、少なくとも１つのショートカット機能に関する情報を決定するように構成される。第１の事前設定期間は第１の時点と第２の時点との間の時間間隔であり、第１の時点は、第１のアイコンに加えられた第１の加圧入力の圧力値をセンサが検出し始める時間である。
【０１３１】
任意選択の実施形態において、プロセッサ４４０はさらに具体的に、第１の加圧入力の圧力値が第１の事前設定期間内に第３の閾値から第１の閾値までの範囲に少なくとも２回入ったと判定した場合、少なくとも１つのショートカット機能に関する情報を決定するように構成される。第１の事前設定期間は第１の時点と第２の時点との間の時間間隔であり、第１の時点は、第１のアイコンに加えられた第１の加圧入力の圧力値をセンサが検出し始める時間であり、第１の閾値は第３の閾値より大きい。
【０１３２】
任意選択の実施形態において、プロセッサ４４０はさらに具体的に、第２の加圧入力の圧力値が第１の事前設定期間内に第２の閾値に達したことをセンサが検出した場合、少なくとも１つのショートカット機能のうちデフォルトのショートカット機能を作動させるように構成される。第２の閾値は第１の閾値より大きい。
【０１３３】
任意選択の実施形態において、センサ４３０はさらに、第２の加圧入力の圧力値が第１の事前設定期間内に第２の閾値に達した場合、第２の事前設定期間の間に第１のアイコンに加えられる第２の加圧入力の圧力値を継続して検出するように構成される。プロセッサは具体的に、第２の加圧入力の検出された圧力値が第２の事前設定期間の間に常に第２の閾値より大きい又はそれに等しいと判定した場合、少なくとも１つのショートカット機能のうちデフォルトのショートカット機能を作動させるように構成される。第２の事前設定期間は第３の時点と第４の時点との間の時間間隔であり、第３の時点は、第２の加圧入力の圧力値が第２の閾値に達する時間である。
【０１３４】
任意選択の実施形態において、プロセッサ４４０はさらに具体的に、第２の加圧入力の圧力値が第４の閾値に達したことを検出した場合、少なくとも１つのショートカット機能のうちデフォルトのショートカット機能を作動させるように構成される。第４の閾値は第１の閾値より大きい。
【０１３５】
任意選択の実施形態において、プロセッサ４４０はさらに具体的に、第２の加圧入力の圧力値が第５の閾値より大きい又はそれに等しく且つ第４の閾値より小さいことを検出した場合、第１のアイコンに加えられた第２の加圧入力の圧力値が次の第３の事前設定期間の間に常に第５の閾値より大きい又はそれに等しく且つ第４の閾値より小さいかどうかを判定し、第１のアイコンに加えられた第２の加圧入力の圧力値が第３の事前設定期間の間に常に第５の閾値より大きい又はそれに等しく且つ第４の閾値より小さい場合、少なくとも１つのショートカット機能のうちデフォルトのショートカット機能を作動させるように構成される。第４の閾値は第５の閾値より大きい。
【０１３６】
任意選択の実施形態において、プロセッサ４４０はさらに具体的に、第２の加圧入力の圧力値が第３の閾値から第１の閾値までの範囲に少なくとも２回入り、且つそれらの少なくとも２回の間の時間間隔が事前設定された２段階加圧時間条件を満たしていると電子デバイスが判定した場合、少なくとも１つのショートカット機能のうちデフォルトのショートカット機能を作動させるように構成される。第１の閾値は第３の閾値より大きい。
【０１３７】
任意選択の実施形態において、センサ４３０はさらに、第２の加圧入力の圧力値が第６の閾値より小さい場合、第２の加圧入力の圧力値を継続して検出するように構成される。プロセッサ４４０はさらに具体的に、第２の加圧入力の圧力値が第７の閾値に達した場合、少なくとも１つのショートカット機能のうちデフォルト機能を作動させるように構成される。第６の閾値は第１の閾値より小さく、第７の閾値は第１の閾値より大きい。
【０１３８】
任意選択の実施形態において、プロセッサ４４０はさらに、第１の加圧入力の圧力値が第２の閾値より大きい又はそれに等しいかどうかを判定し、第１の加圧入力の圧力値が第２の閾値より大きい又はそれに等しい場合、少なくとも１つのショートカット機能に関する情報を決定し、第２の加圧入力の圧力値が第４の事前設定期間の間に常に第２の閾値より大きい又はそれに等しいかどうかを判定して、第１のアイコンに加えられた第２の加圧入力の圧力値が第４の事前設定期間の間に常に第２の閾値より大きい又はそれに等しい場合、少なくとも１つのショートカット機能のうちデフォルトのショートカット機能を作動させるように構成される。
【０１３９】
任意選択の実施形態において、プロセッサ４４０はさらに、第１の加圧入力が第１の事前設定条件を満たしている場合、少なくとも１つのショートカット機能に関する情報が決定された後に、少なくとも１つのショートカット機能のそれぞれに関する情報を、デフォルトのショートカット機能に関する情報を対象としたマークを表示して、ディスプレイ装置に表示するように構成される。これにより、デフォルトのショートカット機能に関する情報の表示が別のショートカット機能に関する情報の表示とは異なる。
【０１４０】
任意選択の実施形態において、プロセッサ４４０はさらに、別の非デフォルトのショートカット機能に関する情報にマークアイコンを追加することなく、デフォルトのショートカット機能に関する情報だけにマークアイコンを追加し、少なくとも１つのショートカット機能のそれぞれに関する情報がディスプレイ装置に表示された後に、ユーザがマークアイコンの位置を変更したことをセンサが検出した場合、変更されたマークアイコンの位置に対応するショートカット機能をデフォルトのショートカット機能と決定するように構成される。
【０１４１】
任意選択の実施形態において、電子デバイスはさらに、ソフトウェアプログラム又はソフトウェアモジュールを格納するように構成されたメモリを含んでよい。この場合、プロセッサ４４０は、メモリに格納されたソフトウェアプログラム及び／又はソフトウェアモジュールを起動するか又は実行し、メモリに格納されたデータを呼び出して、電子デバイスの様々な機能を実施する及び／又はデータを処理することができる。任意選択で、プロセッサ４４０は、集積回路（Ｉｎｔｅｇｒａｔｅｄ  Ｃｉｒｃｕｉｔ、ＩＣ）を含んでよく、例えば、単一のパッケージ化されたＩＣを含んでよく、又は同じ機能若しくは異なる機能を有する複数のパッケージ化されたＩＣを接続することで形成されてもよい。プロセッサ４４０は中央演算処理装置（Ｃｅｎｔｒａｌ  Ｐｒｏｃｅｓｓｉｎｇ  Ｕｎｉｔ、ＣＰＵ）であってよく、又はプロセッサ４４０は別の汎用プロセッサ、デジタル信号プロセッサ（ＤＳＰ）、特定用途向け集積回路（ＡＳＩＣ）、フィールドプログラマブルゲートアレイ（ＦＰＧＡ）又は別のプログラム可能な論理デバイス、ディスクリートゲート又はトランジスタ論理デバイス、ディスクリートハードウェアアセンブリなどであってよい。汎用プロセッサはマイクロプロセッサであってよく、又はプロセッサは任意の従来のプロセッサなどであってよい。このことは、本発明のこの実施形態において限定されない。
【０１４２】
したがって、本発明のこの実施形態において提供される電子デバイスは、デフォルトのショートカット機能を作動させるためのユーザの異なる操作に従って補償閾値を設定するか、又はユーザの実際の目的がデフォルトのショートカット機能を実施することかどうかを圧力値残存期間に従って検出してもよい。ディスプレイ装置は代替的に、デフォルトのショートカット機能を表すアイコンを含むグラフィカルユーザインタフェースをユーザに表示してよい。これにより、ユーザはデフォルトのショートカット機能を必要に応じて再設定する。これにより、ユーザ操作の信頼性を向上させることができる。圧力値はＡＰＰアイコン位置で検出され、デフォルトのショートカット機能を実施する。これにより、複数回の選択の間に引き起こされる誤操作を回避でき、デフォルトのショートカット機能を有効にするスピードを上げることができ、異なる操作をするユーザが用いることができ、さらにユーザ体験が向上する。
【０１４３】
図９は、本発明の一実施形態による電子デバイス５００のアーキテクチャの一例を示す。電子デバイス５００は、入力装置５１０、出力装置５２０、通信装置５３０、記憶装置５４０、処理装置５５０、周辺インタフェース５６０、及び電源５７０などのコンポーネントを含んでよい。
【０１４４】
入力装置５１０は、ユーザと電子デバイスとの間で対話を実施するように構成されてよい。例えば、入力装置５１０は、ユーザが入力した数値情報又は文字情報を受け取り、ユーザ設定又は機能制御に関連した信号入力を生成するように構成されてよい。任意選択で、入力装置５１０はタッチパネル、様々な感知デバイス（例えば、センサ４３０）、実在の入力キー、マイク、又は別の外部情報取り込み装置（例えば、カメラ）を含んでよい。実在の入力キーは、限定されないが、物理キーボード、ファンクションキー（例えば、音量調節キー、又は電源キー）、トラックボール、マウス、ジョイスティックなどのうち１つ又は複数を含んでよい。マイクは、ユーザ又は周囲から入力された音声を収集して、その音声を処理装置５５０が実行できる電気信号の形態のコマンドに変換するように構成されてよい。しかしながら、このことは本発明のこの実施形態において限定されない。
【０１４５】
出力装置５２０は、限定されないが、画像出力装置及び音声出力装置を含んでよい。画像出力装置は、処理装置５５０によって出力された映像にフィルタリング処理と拡大処理を行うためのフィルタ及び増幅器を含んでよい。音声出力装置は、処理装置５５０によって出力された音声信号をデジタル形式からアナログ形式に変換するためのデジタル／アナログ変換器を含んでよい。任意選択で、画像出力装置は、単一のディスプレイ装置又は異なるサイズの複数のディスプレイ装置、例えば図８のディスプレイ装置４１０を含んでよい。ディスプレイ装置は抵抗型、コンデンサ型、赤外線（Ｉｎｆｒａｒｅｄ）型、表面弾性波型、又は別の種類、例えば液晶ディスプレイ装置（Ｌｉｑｕｉｄ  Ｃｒｙｓｔａｌ  Ｄｉｓｐｌａｙ、略して「ＬＣＤ」）、有機発光ダイオード（Ｏｒｇａｎｉｃ  Ｌｉｇｈｔ−Ｅｍｉｔｔｉｎｇ  Ｄｉｏｄｅ、略して「ＯＬＥＤ」）、電気泳動（Ｅｌｅｃｔｒｏｐｈｏｒｅｔｉｃ）ディスプレイ装置、又は光干渉変調（Ｉｎｔｅｒｆｅｒｏｍｅｔｒｉｃ  Ｍｏｄｕｌａｔｉｏｎ  ｏｆ  Ｌｉｇｈｔ）技術を用いたディスプレイ装置であってよい。
【０１４６】
任意選択で、タッチパネルが代替的にディスプレイ装置として用いられてもよい。例えば、タッチパネルは、タッチパネル上で又はその近くで行われたジェスチャ操作を検出した後に、タッチ事象の種類を判定するためにジェスチャ操作に関する情報を処理装置５５０に送る。その後、処理装置５５０はタッチ事象の種類に従って対応する視覚出力をディスプレイ装置に提供する。図１０ではさらに、入力装置５１０及び出力装置５２０が、電子デバイスの入力機能及び出力機能を実装する２つの独立したコンポーネントとして用いられている。しかしながら、一部の実施形態では、入力装置５１０及び出力装置５２０は統合されて、電子デバイスの入力機能及び出力機能を実装してよい。例えば、画像出力装置は、仮想制御コンポーネントとして、限定されないが、ウィンドウ、スクロールバー、アイコン、及びスクラップブックを含む様々なグラフィカルユーザインタフェース（Ｇｒａｐｈｉｃａｌ  Ｕｓｅｒ  Ｉｎｔｅｒｆａｃｅ、略して「ＧＵＩ」）を、ユーザがタッチによって操作を行うために表示してよい。このことは、本発明のこの実施形態において限定されない。
【０１４７】
通信装置５３０は、通信チャネルを確立し、通信チャネルを用いて電子デバイスをリモートサーバに接続して、リモートサーバからメディアデータをダウンロードするように構成される。通信装置５３０は、無線ローカルエリアネットワーク（Ｗｉｒｅｌｅｓｓ  Ｌｏｃａｌ  Ａｒｅａ  Ｎｅｔｗｏｒｋ、略して「ＷＬＡＮ」）モジュール、Ｂｌｕｅｔｏｏｔｈ（登録商標）モジュール、ベースバンド（ＢａｓｅＢａｎｄ）モジュール、及び通信モジュールに対応する無線周波数（Ｒａｄｉｏ  Ｆｒｅｑｕｅｎｃｙ、略して「ＲＦ」）回路などの通信モジュールを含み、無線ローカルエリアネットワーク通信、Ｂｌｕｅｔｏｏｔｈ（登録商標）通信、赤外線通信、及び／又はセルラ通信システム通信、例えば、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）及び／又は高速ダウンリンクパケット接続（Ｈｉｇｈ  Ｓｐｅｅｄ  Ｄｏｗｎｌｉｎｋ  Ｐａｃｋｅｔ  Ａｃｃｅｓｓ、略して「ＨＳＤＰＡ」）を行ってよい。
【０１４８】
通信装置５３０は、電子デバイスのコンポーネント間の通信を制御するように構成されてよく、ダイレクトメモリアクセス（Ｄｉｒｅｃｔ  Ｍｅｍｏｒｙ  Ａｃｃｅｓｓ、略して「ＤＭＡ」）をサポートできる。通信装置の全ての通信モジュールは、一般に集積回路チップ（Ｉｎｔｅｇｒａｔｅｄ  Ｃｉｒｃｕｉｔ  Ｃｈｉｐ）の形態で提示され、これらの通信モジュールは選択的に組み合わされてよく、全ての通信モジュール及び対応するアンテナ群が含まれている必要はない。例えば、通信装置５３０はベースバンドチップ、無線周波数チップ、及び対応するアンテナだけを含み、セルラ通信システムの通信機能を提供してよい。通信装置５３０によって確立された無線通信接続（例えば、無線ローカルエリアネットワーク接続、又はＷＣＤＭＡ（登録商標））によって、電子デバイスはセルラネットワーク（Ｃｅｌｌｕｌａｒ  Ｎｅｔｗｏｒｋ）又はインターネット（Ｉｎｔｅｒｎｅｔ）に接続されてよい。本発明の一部の任意選択の実装例では、通信装置５３０の一部の通信モジュール、例えばベースバンドモジュールが処理装置に統合されてよい。このことは、本発明のこの実施形態において限定されない。
【０１４９】
無線周波数回路は、通信中に情報を受信及び送信する又は信号を受信及び送信するように構成されてよく、例えば、ダウンリンク情報を基地局から受信してそのダウンリンク情報を処理装置５５０に転送する、アップリンクデータを基地局に送信するなどを行う。無線周波数回路は、これらの機能を実施するように構成されたよく知られている回路を含んでよく、それらの回路には、限定されないが、アンテナシステム、無線周波数送受信機、１つ又は複数の増幅器、チューナ、１つ又は複数の発振器、デジタル信号プロセッサ、コーデック（Ｃｏｄｅｃ）チップセット、加入者識別モジュール（Ｓｕｂｓｃｒｉｂｅｒ  Ｉｄｅｎｔｉｔｙ  Ｍｏｄｕｌｅ、略して「ＳＩＭ」）カード、メモリなどが含まれる。また、無線周波数回路はさらに、無線通信によってネットワーク及び別の装置と通信してよい。任意の通信規格又はプロトコルが無線通信中に用いられてよく、それらの通信規格又はプロトコルには、限定されないが、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、略して「ＧＳＭ（登録商標）」）、汎用パケット無線サービス（Ｇｅｎｅｒａｌ  Ｐａｃｋｅｔ  Ｒａｄｉｏ  Ｓｅｒｖｉｃｅ、略して「ＧＰＲＳ」）、符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）、（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）、高速アップリンクパケット接続（Ｈｉｇｈ  Ｓｐｅｅｄ  Ｕｐｌｉｎｋ  Ｐａｃｋｅｔ  Ａｃｃｅｓｓ、略して「ＨＳＵＰＡ」）、ロングタームエボリューション（Ｌｏｎｇ  Ｔｅｒｍ  Ｅｖｏｌｕｔｉｏｎ、略して「ＬＴＥ」）などが含まれる。
【０１５０】
記憶装置５４０は、データ格納領域及びプログラム格納領域を含んでよい。プログラム格納領域は、ソフトウェアプログラム（すなわち、少なくとも１つの命令）又はソフトウェアモジュール、例えば、サウンド再生プログラム又は画像再生プログラムを格納するように構成される。データ格納領域は、電子デバイスに格納されたデータ、例えば、オーディオデータ、画像データ、又は電話帳を格納するように構成されてよい。
【０１５１】
具体的には、記憶装置５４０は、例えばランダムアクセスメモリ（Ｒａｎｄｏｍ  Ａｃｃｅｓｓ  Ｍｅｍｏｒｙ、略して「ＲＡＭ」）といった揮発性メモリを含んでよい。又は記憶装置５４０は、例えば、不揮発性ランダムアクセスメモリ（Ｎｏｎ−ｖｏｌａｔｉｌｅ  Ｒａｎｄｏｍ  Ａｃｃｅｓｓ  Ｍｅｍｏｒｙ、略して「ＮＶＲＡＭ」）、磁気抵抗ランダムアクセスメモリ（Ｍａｇｎｅｔｏ−ｒｅｓｉｓｔｉｖｅ  ＲＡＭ、略して「ＭＲＡＭ」）、相変化ランダムアクセスメモリ（Ｐｈａｓｅ  Ｃｈａｎｇｅ  ＲＡＭ、略して「ＰＲＡＭ」）、磁気ディスク記憶装置、電気的消去可能プログラム可能リードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、「ＥＥＰＲＯＭ」）、フラッシュメモリ（例えば、ＮＯＲ型フラッシュメモリ（ＮＯＲ  ｆｌａｓｈ  ｍｅｍｏｒｙ）又はＮＡＮＤ型フラッシュメモリ（ＮＡＮＤ  ｆｌａｓｈ  ｍｅｍｏｒｙ））といった不揮発性メモリを含んでよい。具体的には、不揮発性メモリは、処理装置によって実行される命令、例えば、オペレーティングシステム及びアプリケーションを格納するように構成されてよい。オペレーティングシステムは、従来のシステムタスク（例えば、メモリ管理、記憶装置制御、又は電源管理）並びに様々なソフトウェアとハードウェアとの間の通信に役立つ様々なコンポーネント及び／又はドライバを制御及び管理するのに用いられてよい。アプリケーションは電子デバイスにインストールされたあらゆるアプリケーションを含んでよい。それらのアプリケーションには、限定されないが、ブラウザ、電子メール、インスタントメッセージングサービス、文書処理、キーボード仮想化、ウィジェット（Ｗｉｄｇｅｔ）、暗号化、デジタル著作権管理、音声認識、音声コピー、測位（例えば、全地球測位システムによって提供される機能）、音楽再生などが含まれる。このことは、本発明のこの実施形態において限定されない。
【０１５２】
処理装置５５０は、メモリに格納された命令を実行して、対応する機能を実施するように構成されてよい。例えば、上述の実施形態におけるプロセッサ４４０は処理装置５５０であってよい。任意選択で、処理装置５５０はベースバンドプロセッサ及びアプリケーションプロセッサを含んでよく、又はベースバンドプロセッサ及びアプリケーションプロセッサは共に統合されてもよい。代替的に、処理装置は、コアとして低電力消費のマイクロプロセッサと別の装置（例えば、ＡＤ変換器）とを含むサブシステムをさらに含んでよく、又は処理装置は制御装置になってもよい。
【０１５３】
電源５７０は、電子デバイスの異なるコンポーネントに電力を供給して、電子デバイスの動作を維持するように構成される。電源は概して、例えば一般的なリチウムイオンバッテリ又はニッケル金属水素化物バッテリといった組み込み型バッテリであってよく、又は例えばＡＣアダプタといった、電子デバイスに電力を直接供給する外部電源を含んでもよい。本発明の一部の実装例では、電源はより幅広い定義を有する場合がある。例えば、電源はさらに、電力管理システム、充電システム、電源異常検出回路、電力変換器又はインバータ、電源状態表示器（例えば、発光ダイオード）、並びに電子デバイスの電気エネルギー生成、管理、及び分配に関連した任意の他のコンポーネントを含んでよい。
【０１５４】
任意選択で、出力装置５２０はデフォルトのショートカット機能用のインタフェースを提示してよい。出力装置５２０は、デフォルトのショートカット機能に対応するグラフィカルユーザインタフェースを提示してよい。入力装置５１０は、ユーザ入力を受け取り、マークアイコンの位置、ＡＰＰアイコン位置でのジェスチャ、及びＡＰＰアイコン位置でのジェスチャ圧力値を取得する。記憶装置５４０は、センサの関連データを格納してよい。処理装置５５０は、対応するコードを実行し、受け取った情報を処理して、対応するインタフェース及び対応するデータを生成し且つ出力してよい。最後に出力装置５２０は、現在の作業結果を提示する。
【０１５５】
このように、センサは、押下中の形状変化によって生じた抵抗の変化、静電容量の変化、又はインダクタンスの変化を感知でき、信号変換を行った後に圧力変化を判定してよい。処理装置５５０は、タッチポイントの位置（又はタッチポイントの軌跡）及び圧力変化を参照して、記憶装置に格納された圧力判定関連のプログラムを実行し、押下力の程度を判定して押下力の程度に対応するプログラムを決定してよい。任意選択で、押下力の程度は、軽いタッチと強い押下だけを含んでよく、又はセンサの感度に従って複数の異なるレベルに分類されてもよい。最後に、処理装置は、ディスプレイ装置を用いて処理結果をユーザに提示してよい。
【０１５６】
図１０の例は、本発明のこの実施形態の範囲を限定する代わりに、当業者が本発明のこの実施形態を十分に理解するのを手助けすることを目的としていることに留意されたい。当業者であれば、図９の例に対して均等な様々な修正例及び変形例を作ることができるのは明らかである。そのような修正例及び変形例も、本発明のこの実施形態の範囲に含まれる。
【０１５７】
上述の事項は、図９及び図１０を参照して本発明の実施形態の電子デバイスを詳細に説明している。以下では、本発明の一実施形態による電子デバイスのグラフィカルユーザインタフェースを詳細に説明する。
【０１５８】
本発明の一実施形態が、電子デバイスにグラフィカルユーザインタフェースを提供する。電子デバイスは、ディスプレイ装置と、感圧面と、メモリと、感圧面でタッチの強度を検出するように構成された１つ又は複数のセンサと、メモリに格納された１つ又は複数のプログラムを実行するように構成された１つ又は複数のプロセッサとを有する。例えば、電子デバイスは図９又は図１０の電子デバイスであってよい。グラフィカルユーザインタフェースは少なくとも１つのアイコンを含む。少なくとも１つのショートカット機能が、少なくとも１つのアイコンの第１のアイコンによってマークされた第１のソフトウェアプログラム用に事前設定され、これにより、感圧面において検出された第１の加圧入力に応答し、感圧面において検出された第１の加圧入力の後の第２の加圧入力に応答する。第１の加圧入力では、第１のアイコンに対応する接触の強度が増加して第１の事前設定条件を満たしている場合、第１のアイコン用に事前設定された少なくとも１つのショートカット機能が、図５の（ａ）又は図６の（ｂ）に示すように表示される。第２の加圧入力では、第１のアイコンに対応する接触の強度が第２の事前設定条件を満たした場合、少なくとも１つのショートカット機能のうちデフォルトのショートカット機能に対応するインタフェースが、図５の（ｃ）、図６の（ｅ）、又は図７の（ｂ）に示すように表示される。アイコンは、アプリケーションＡＰＰアイコンであってよく、又はフォルダアイコンであってもよい。
【０１５９】
第１の事前設定条件は以下の通りでよい。すなわち、電子デバイスは、第１の加圧入力の圧力値が第１の事前設定期間内に第１の閾値に達したと判定する。あるいは、電子デバイスは、第１の加圧入力の圧力値が第１の事前設定期間の間に第３の閾値から第１の閾値までの範囲に少なくとも２回入ったと判定する。あるいは、電子デバイスは、第１の加圧入力の圧力値が第２の閾値より大きい又はそれに等しいかどうかを判定する場合、第１の加圧入力の圧力値が第２の閾値より大きい又はそれに等しいと判定する。ここで、第２の閾値は第１の閾値より大きい。第２の事前設定条件は以下の通りでよい。すなわち、電子デバイスは第２の加圧入力の圧力値が第１の事前設定期間内に第２の閾値に達したことを検出する。あるいは、第２の加圧入力の圧力値が第１の事前設定期間内に第２の閾値に達したことを電子デバイスが検出した場合、電子デバイスは、第２の事前設定期間の間に第１のアイコンに加えられた第２の加圧入力の圧力値を継続して検出し、電子デバイスは、第２の加圧入力の検出された圧力値が第２の事前設定期間の間に常に第２の閾値より大きい又はそれに等しいと判定する。あるいは、電子デバイスは第２の加圧入力の圧力値が第４の閾値に達したことを検出する。あるいは、第２の加圧入力の圧力値が第５の閾値より大きい又はそれに等しく且つ第４の閾値より小さいことを検出した後に、第１のアイコンに加えられた第２の加圧入力の圧力値が次の第３の事前設定期間の間に常に第５の閾値より大きい又はそれに等しく且つ第４の閾値より小さいかどうかを判定する場合、電子デバイスは、第１のアイコンに加えられた第２の加圧入力の圧力値が第３の事前設定期間の間に常に第５の閾値より大きい又はそれに等しく且つ第４の閾値より小さいと判定する。あるいは、電子デバイスは、第２の加圧入力の圧力値が第３の閾値から第１の閾値までの範囲に少なくとも２回入ったこと、且つそれらの少なくとも２回の間の時間間隔が事前設定された２段階加圧時間条件を満たしていることを判定する。
【０１６０】
このように、マンマシン対話インタフェースを、ユーザに直感的に提示できる。これにより、デフォルトのショートカット機能を有効にするスピードが上がり、さらにユーザ体験が向上する。
【０１６１】
第１の事前設定条件は以下の通りでよいことを理解されたい。すなわち、事前設定期間の間、第１の加圧入力の圧力値が特定の閾値より大きい、又は特定の閾値範囲に少なくとも２回入る。第２の事前設定条件は以下の通りでよい。すなわち、第２の加圧入力の圧力値が事前設定閾値より大きい、又は事前設定期間の間、事前設定閾値範囲に留まる。もちろん、第１の事前設定条件及び第２の事前設定条件は、圧力値に関連した他の条件であってもよい。例えば、事前設定期間内の第１の加圧入力の最大圧力値が特定の閾値より大きい、又は事前設定期間内の第１の加圧入力の平均圧力値が特定の閾値より大きい、又は第１の加圧入力の圧力値が事前設定期間の間に少なくとも１回、ピーク及びトラフに達する。別の例では、第２の加圧入力の圧力値は事前設定期間の間そのままの状態に留まった後に指定された閾値に達する、又は第２の加圧入力の圧力値は指定された閾値に達し、事前設定期間の間その状態のままである、又は指定された第１の閾値に第２の加圧入力の圧力値が達した後に、第２の加圧入力の圧力値は指定された期間の間、第２の閾値から第１の閾値までの範囲に留まる、又は第２の加圧入力の圧力値は事前設定閾値範囲に少なくとも２回入ってよい。第１の事前設定条件及び第２の事前設定条件には、本発明のこの実施形態において何の限定も課されない。
【０１６２】
上述のプロセスの順序番号は実行順序を意味しないことを理解されたい。これらのプロセスの実行順序はプロセスの機能及び内部論理に従って決定されるべきであり、本発明の実施形態の実装プロセスに対するいかなる限定とも解釈されるべきではない。
【０１６３】
実装プロセスでは、上述の方法の各段階は、プロセッサのハードウェア統合論理回路を用いて、又はソフトウェアの形態の命令を用いて実装されてよい。本発明の実施形態を参照して開示された方法の各段階は、ハードウェアプロセッサによって直接行われてよく、又はプロセッサのハードウェアとソフトウェアモジュールとの組み合わせを用いて行われてもよい。ソフトウェアモジュールが、当該技術分野における成熟した記憶媒体に配置されてよく、それらの記憶媒体は、ランダムアクセスメモリ、フラッシュメモリ、リードオンリメモリ、プログラム可能リードオンリメモリ、電気的消去可能プログラム可能メモリ、レジスタなどである。記憶媒体はメモリ内に配置され、プロセッサがメモリ内の命令を読み出し、プロセッサのハードウェアと組み合わせて上述の方法の各段階を完了する。繰り返しを避けるために、詳細はここで再度説明しない。
【０１６４】
当業者であれば、本明細書において開示された実施形態で説明された例と組み合わせて、方法の各段階及び各ユニットが電子ハードウェア、コンピュータソフトウェア、又はそれらの組み合わせによって実装されてよいことを認識するかもしれない。ハードウェアとソフトウェアとの間の互換性を明確に説明するために、上述の事項では概して、各実施形態の段階及び構成を機能に従って説明してきた。機能がハードウェアによって行われるのか、又はソフトウェアによって行われるのかは、具体的な用途及び技術的解決手段の設計制約条件で決まる。当業者であれば、異なる方法を用いて、説明された機能を具体的な用途ごとに実装するかもしれないが、それらの実装例が本発明の範囲を越えるものとみなされるべきではない。
【０１６５】
簡便且つ簡潔な説明のために、上述のシステム、装置、及びユニットの詳細な動作プロセスについては、上述の方法の実施形態の対応するプロセスが参照されてよいことが当業者によって明確に理解され得る。そのため、詳細はここで再度説明しない。
【０１６６】
いくつかの本出願において提供された実施形態では、開示されたシステム、装置、及び方法が他の方式で実装されてよいことを理解されたい。例えば、説明された装置の実施形態は単なる一例にすぎない。例えば、ユニットの分割は、単なる論理的機能の分割にすぎず、実際の実装では他の分割であってもよい。例えば、複数のユニット又はコンポーネントが別のシステムに組み合わされるか又は統合されてよく、一部の特徴が無視されても、又は行われなくてもよい。さらに、表示された又は論じられた相互結合又は直接結合又は通信接続が、いくつかのインタフェース、又は装置間若しくはユニット間の間接的結合若しくは通信接続、又は電気的接続、機械的接続、又は他の形態の接続によって実装されてよい。
【０１６７】
別個の部分として説明されたユニットは、物理的に離れていても離れていなくてもよく、複数のユニットとして表示された複数の部分が、物理的ユニットであってもそうでなくてもよく、それらのユニットが１か所に配置されてもよく、又は複数のネットワークユニット上に分散されてもよい。これらのユニットの一部又は全てが、実際の必要性に従って選択され、本発明の実施形態において解決手段の目的を実現し得る。
【０１６８】
さらに、本発明の実施形態の機能ユニットが１つの処理ユニットに統合されてよく、又はこれらのユニットのそれぞれが物理的に単独で存在してもよく、又は２つ若しくはそれより多くのユニットが１つのユニットに統合される。統合されたユニットはハードウェアの形態で実装されてよく、又はソフトウェア機能ユニットの形態で実装されてもよい。
【０１６９】
統合されたユニットがソフトウェア機能ユニットの形態で実装され、独立した製品として販売される又は用いられる場合、統合されたユニットはコンピュータ可読記憶媒体に格納されてよい。そのような理解に基づいて、本質的には本発明の技術的解決手段、又は先行技術に寄与する部分、又はこれらの技術的解決手段の全て若しくは一部が、ソフトウェア製品の形態で実装されてもよい。ソフトウェア製品は記憶媒体に格納され、本発明の実施形態において説明された方法の段階の全て又は一部を行うようコンピュータデバイス（パーソナルコンピュータ、サーバ、又はネットワークデバイスであってよい）に命令するためのいくつかの命令を含む。上述の記憶媒体には、プログラムコードを格納できるあらゆる媒体が含まれる。例えば、ＵＳＢフラッシュドライブ、リムーバブルハードディスク、リードオンリメモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、又は光ディスクなどである。
【０１７０】
上述の説明は、単なる本発明の具体的な実施形態にすぎず、本発明の保護範囲を限定することを目的としているわけではない。本発明において開示された技術的範囲内で、当業者が容易に考え出すあらゆる変更又は置換は、本発明の保護範囲に含まれるものとする。したがって、本発明の保護範囲は、特許請求の範囲の保護範囲によって決まるものとする。
【図１】
2019508818.tif 000003
【図２】
2019508818.tif 000004
【図３】
2019508818.tif 000005
【図４】
2019508818.tif 000006
【図５】
2019508818.tif 000007
【図６】
2019508818.tif 000008
【図７】
2019508818.tif 000009
【図８】
2019508818.tif 000010
【図９】
2019508818.tif 000011
【図１０】
2019508818.tif 000012
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
ディスプレイ装置と感圧面とを有する電子デバイスに適用されるマンマシン対話の方法であって、前記電子デバイスは前記感圧面に対するタッチの強度を検出する１つ又は複数のセンサを有し、前記方法は、
前記ディスプレイ装置に少なくとも１つのアイコンを前記電子デバイスによって表示する段階であって、前記少なくとも１つのアイコンのうち第１のアイコンでマークされた第１のソフトウェアプログラム用に少なくとも１つのショートカット機能が事前設定される、段階と、
前記第１のアイコンに加えられた第１の加圧入力を前記感圧面上で前記電子デバイスによって検出する段階と、
前記第１の加圧入力が第１の事前設定条件を満たしていると判定した場合、前記少なくとも１つのショートカット機能に関する情報を前記電子デバイスによって決定する段階と、
前記第１の加圧入力を検出した後に、前記第１のアイコンに加えられた第２の加圧入力を前記電子デバイスによって継続して検出する段階と、
前記第２の加圧入力が第２の事前設定条件を満たしていると前記電子デバイスが判定した場合、前記少なくとも１つのショートカット機能のうちデフォルトのショートカット機能を作動させる段階と
を備える、方法。
【請求項２】
前記第１の加圧入力が第１の事前設定条件を満たしていると判定した場合、前記少なくとも１つのショートカット機能に関する情報を前記電子デバイスによって決定する前記段階は、
前記第１の加圧入力の圧力値が第１の事前設定期間内に第１の閾値に達したと前記電子デバイスが判定した場合、前記少なくとも１つのショートカット機能に関する前記情報を決定する段階を有し、
前記第１の事前設定期間は第１の時点と第２の時点との間の時間間隔であり、前記第１の時点は前記第１のアイコンに加えられた前記第１の加圧入力の前記圧力値を前記電子デバイスが検出し始める時間である、請求項１に記載の方法。
【請求項３】
前記第１の加圧入力が第１の事前設定条件を満たしていると判定した場合、前記少なくとも１つのショートカット機能に関する情報を前記電子デバイスによって決定する前記段階は、
前記第１の加圧入力の圧力値が第１の事前設定期間内に第３の閾値から第１の閾値までの範囲に少なくとも２回入ったと前記電子デバイスが判定した場合、前記少なくとも１つのショートカット機能に関する前記情報を決定する段階を有し、
前記第１の事前設定期間は第１の時点と第２の時点との間の時間間隔であり、前記第１の時点は前記第１のアイコンに加えられた前記第１の加圧入力の前記圧力値を前記電子デバイスが検出し始める時間であり、前記第１の閾値は前記第３の閾値より大きい、請求項１に記載の方法。
【請求項４】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が前記第１の事前設定期間内に第２の閾値に達したことを前記電子デバイスが検出した場合、前記少なくとも１つのショートカット機能のうち前記デフォルトのショートカット機能を作動させる段階を有し、
前記第２の閾値は前記第１の閾値より大きい、請求項２又は３に記載の方法。
【請求項５】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が第４の閾値に達したことを前記電子デバイスが検出した場合、前記少なくとも１つのショートカット機能のうち前記デフォルトのショートカット機能を作動させる段階を含み、
前記第４の閾値は前記第１の閾値より大きい、請求項２又は３に記載の方法。
【請求項６】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が前記第３の閾値から前記第１の閾値までの範囲に少なくとも２回入り、且つ前記少なくとも２回の間の時間間隔が事前設定された２段階加圧時間条件を満たしていると前記電子デバイスが判定した場合、前記少なくとも１つのショートカット機能のうち前記デフォルトのショートカット機能を作動させる段階を有し、
前記第１の閾値は前記第３の閾値より大きい、請求項２又は３に記載の方法。
【請求項７】
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の前記圧力値が第６の閾値より小さいと前記電子デバイスが判定した場合、前記第２の加圧入力の前記圧力値を前記電子デバイスによって継続して検出する段階と、
前記第２の加圧入力の前記圧力値が第７の閾値に達したと前記電子デバイスが判定した場合、前記少なくとも１つのショートカット機能のうち前記デフォルト機能を作動させる段階とを有し、
前記第６の閾値は前記第１の閾値より小さく、前記第７の閾値は前記第１の閾値より大きい、請求項２又は３に記載の方法。
【請求項８】
前記第１の加圧入力が第１の事前設定条件を満たしていると判定した場合、前記少なくとも１つのショートカット機能に関する情報を前記電子デバイスによって決定する前記段階は、
前記第１の加圧入力の圧力値が第２の閾値より大きい又はそれに等しいかどうかを前記電子デバイスによって判定し、前記第１の加圧入力の前記圧力値が前記第２の閾値より大きい又はそれに等しい場合、前記少なくとも１つのショートカット機能に関する前記情報を決定する段階を有し、
前記第２の加圧入力が第２の事前設定条件を満たしていると前記電子デバイスが判定した場合、前記少なくとも１つのショートカット機能のうちデフォルトのショートカット機能を作動させる前記段階は、
前記第２の加圧入力の圧力値が第４の事前設定期間の間に常に前記第２の閾値より大きい又はそれに等しいかどうかを前記電子デバイスによって判定し、前記第１のアイコンに加えられた前記第２の加圧入力の前記圧力値が前記第４の事前設定期間の間に常に前記第２の閾値より大きい又はそれに等しい場合、前記少なくとも１つのショートカット機能のうち前記デフォルトのショートカット機能を作動させる段階を有する、請求項１に記載の方法。
【請求項９】
前記第１の加圧入力が第１の事前設定条件を満たしていると判定した場合、前記少なくとも１つのショートカット機能に関する情報を前記電子デバイスによって決定する前記段階の後に、前記方法はさらに、
前記デフォルトのショートカット機能に関する情報を対象としたマークを表示して、前記少なくとも１つのショートカット機能のそれぞれに関する情報を前記電子デバイスによって前記ディスプレイ装置に表示する段階を備え、これにより、前記デフォルトのショートカット機能に関する前記情報の表示が別のショートカット機能に関する情報の表示とは異なる、請求項１から８のいずれか一項に記載の方法。
【請求項１０】
電子デバイスであって、前記電子デバイスは、ディスプレイ装置と、感圧面と、センサと、プロセッサとを備え、少なくとも１つのアイコンが前記ディスプレイ装置に表示され、少なくとも１つのショートカット機能が前記少なくとも１つのアイコンのうち第１のアイコンによってマークされた第１のソフトウェアプログラム用に事前設定され、
前記センサは、前記第１のアイコンに加えられた加圧入力を前記感圧面で検出するように構成され、
前記プロセッサは、前記センサによって検出された前記第１の加圧入力が第１の事前設定条件を満たしていると判定した場合、前記少なくとも１つのショートカット機能に関する情報を決定し、第２の加圧入力が第２の事前設定条件を満たしていると判定した場合、前記少なくとも１つのショートカット機能のうちデフォルトのショートカット機能を作動させるように構成され、前記第２の加圧入力は、前記第１の加圧入力の後に前記第１のアイコンに加えられ、前記センサによって検出される加圧入力である、電子デバイス。
【請求項１１】
前記プロセッサは具体的に、
前記第１の加圧入力の圧力値が第１の事前設定期間内に第１の閾値に達した場合、前記少なくとも１つのショートカット機能に関する前記情報を決定するように構成され、
前記第１の事前設定期間は第１の時点と第２の時点との間の時間間隔であり、前記第１の時点は前記第１のアイコンに加えられた前記第１の加圧入力の前記圧力値を前記センサが検出し始める時間である、請求項１０に記載の電子デバイス。
【請求項１２】
前記プロセッサはさらに具体的に、
前記第１の加圧入力の圧力値が第１の事前設定期間内に第３の閾値から第１の閾値までの範囲に少なくとも２回入ったと判定した場合、前記少なくとも１つのショートカット機能に関する前記情報を決定するように構成され、
前記第１の事前設定期間は第１の時点と第２の時点との間の時間間隔であり、前記第１の時点は前記第１のアイコンに加えられた前記第１の加圧入力の前記圧力値を前記センサが検出し始める時間であり、前記第１の閾値は前記第３の閾値より大きい、請求項１０に記載の電子デバイス。
【請求項１３】
前記プロセッサはさらに具体的に、
前記第２の加圧入力の前記圧力値が第４の閾値に達したことを検出した場合、前記少なくとも１つのショートカット機能のうち前記デフォルトのショートカット機能を作動させるように構成され、
前記第４の閾値は前記第１の閾値より大きい、請求項１１又は１２に記載の電子デバイス。
【請求項１４】
前記プロセッサはさらに具体的に、
前記第２の加圧入力の圧力値が前記第３の閾値から前記第１の閾値までの範囲に少なくとも２回入り、且つ前記少なくとも２回の間の時間間隔が事前設定された２段階加圧時間条件を満たしていると前記電子デバイスが判定した場合、前記少なくとも１つのショートカット機能のうち前記デフォルトのショートカット機能を作動させるように構成され、
前記第１の閾値は前記第３の閾値より大きい、請求項１１又は１２に記載の電子デバイス。
【請求項１５】
前記プロセッサはさらに具体的に、
前記第２の加圧入力の前記圧力値が第６の閾値より小さいと判定した場合、前記センサによって検出された前記第２の加圧入力の前記圧力値を継続して判定し、前記第２の加圧入力の前記圧力値が第７の閾値に達したと判定した場合、前記少なくとも１つのショートカット機能のうち前記デフォルト機能を作動させるように構成され、
前記第６の閾値は前記第１の閾値より小さく、前記第７の閾値は前記第１の閾値より大きい、請求項１０又は１１に記載の電子デバイス。
【請求項１６】
前記プロセッサはさらに具体的に、
前記第１の加圧入力の圧力値が第２の閾値より大きい又はそれに等しいかどうかを判定し、前記第１の加圧入力の前記圧力値が前記第２の閾値より大きい又はそれに等しい場合、前記少なくとも１つのショートカット機能に関する前記情報を決定し、
前記第２の加圧入力の圧力値が第４の事前設定期間の間に常に前記第２の閾値より大きい又はそれに等しいかどうかを判定し、前記第１のアイコンに加えられた前記第２の加圧入力の前記圧力値が前記第４の事前設定期間の間に常に前記第２の閾値より大きい又はそれに等しい場合、前記少なくとも１つのショートカット機能のうち前記デフォルトのショートカット機能を作動させるように構成される、請求項１０に記載の電子デバイス。
【請求項１７】
前記プロセッサはさらに、
前記第１の加圧入力が第１の事前設定条件を満たしていると判定した場合、前記少なくとも１つのショートカット機能に関する前記情報を決定した後に、前記少なくとも１つのショートカット機能のそれぞれに関する情報を、前記デフォルトのショートカット機能に関する情報を対象としたマークを表示して、前記ディスプレイ装置に表示するように構成され、これにより、前記デフォルトのショートカット機能に関する前記情報の表示が別のショートカット機能に関する情報の表示とは異なる、請求項１０から１６のいずれか一項に記載の電子デバイス。
【手続補正２】
【補正対象書類名】明細書
【補正対象項目名】０１４９
【補正方法】変更
【補正の内容】
【０１４９】
無線周波数回路は、通信中に情報を受信及び送信する又は信号を受信及び送信するように構成されてよく、例えば、ダウンリンク情報を基地局から受信してそのダウンリンク情報を処理装置５５０に転送する、アップリンクデータを基地局に送信するなどを行う。無線周波数回路は、これらの機能を実施するように構成されたよく知られている回路を含んでよく、それらの回路には、限定されないが、アンテナシステム、無線周波数送受信機、１つ又は複数の増幅器、チューナ、１つ又は複数の発振器、デジタル信号プロセッサ、コーデック（Ｃｏｄｅｃ）チップセット、加入者識別モジュール（Ｓｕｂｓｃｒｉｂｅｒ  Ｉｄｅｎｔｉｔｙ  Ｍｏｄｕｌｅ、略して「ＳＩＭ」）カード、メモリなどが含まれる。また、無線周波数回路はさらに、無線通信によってネットワーク及び別の装置と通信してよい。任意の通信規格又はプロトコルが無線通信中に用いられてよく、それらの通信規格又はプロトコルには、限定されないが、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、略して「ＧＳＭ（登録商標）」）、汎用パケット無線サービス（Ｇｅｎｅｒａｌ  Ｐａｃｋｅｔ  Ｒａｄｉｏ  Ｓｅｒｖｉｃｅ、略して「ＧＰＲＳ」）、符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）、高速アップリンクパケット接続（Ｈｉｇｈ  Ｓｐｅｅｄ  Ｕｐｌｉｎｋ  Ｐａｃｋｅｔ  Ａｃｃｅｓｓ、略して「ＨＳＵＰＡ」）、ロングタームエボリューション（Ｌｏｎｇ  Ｔｅｒｍ  Ｅｖｏｌｕｔｉｏｎ、略して「ＬＴＥ」）などが含まれる。
【手続補正３】
【補正対象書類名】明細書
【補正対象項目名】０１７０
【補正方法】変更
【補正の内容】
【０１７０】
上述の説明は、単なる本発明の具体的な実施形態にすぎず、本発明の保護範囲を限定することを目的としているわけではない。本発明において開示された技術的範囲内で、当業者が容易に考え出すあらゆる変更又は置換は、本発明の保護範囲に含まれるものとする。したがって、本発明の保護範囲は、特許請求の範囲の保護範囲によって決まるものとする。
（項目１）
ディスプレイ装置と感圧面とを有する電子デバイスに適用されるマンマシン対話の方法であって、上記電子デバイスは上記感圧面に対するタッチの強度を検出する１つ又は複数のセンサを有し、上記方法は、
上記ディスプレイ装置に少なくとも１つのアイコンを上記電子デバイスによって表示する段階であって、上記少なくとも１つのアイコンのうち第１のアイコンでマークされた第１のソフトウェアプログラム用に少なくとも１つのショートカット機能が事前設定される、段階と、
上記第１のアイコンに加えられた第１の加圧入力を上記感圧面上で上記電子デバイスによって検出する段階と、
上記第１の加圧入力が第１の事前設定条件を満たしていると判定した場合、上記少なくとも１つのショートカット機能に関する情報を上記電子デバイスによって決定する段階と、
上記第１の加圧入力を検出した後に、上記第１のアイコンに加えられた第２の加圧入力を上記電子デバイスによって継続して検出する段階と、
上記第２の加圧入力が第２の事前設定条件を満たしていると上記電子デバイスが判定した場合、上記少なくとも１つのショートカット機能のうちデフォルトのショートカット機能を作動させる段階と
を備える、方法。
（項目２）
上記第１の加圧入力が第１の事前設定条件を満たしていると判定した場合、上記少なくとも１つのショートカット機能に関する情報を上記電子デバイスによって決定する上記段階は、
上記第１の加圧入力の圧力値が第１の事前設定期間内に第１の閾値に達したと上記電子デバイスが判定した場合、上記少なくとも１つのショートカット機能に関する上記情報を決定する段階を有し、
上記第１の事前設定期間は第１の時点と第２の時点との間の時間間隔であり、上記第１の時点は上記第１のアイコンに加えられた上記第１の加圧入力の上記圧力値を上記電子デバイスが検出し始める時間である、項目１に記載の方法。
（項目３）
上記第１の加圧入力が第１の事前設定条件を満たしていると判定した場合、上記少なくとも１つのショートカット機能に関する情報を上記電子デバイスによって決定する上記段階は、
上記第１の加圧入力の圧力値が第１の事前設定期間内に第３の閾値から第１の閾値までの範囲に少なくとも２回入ったと上記電子デバイスが判定した場合、上記少なくとも１つのショートカット機能に関する上記情報を決定する段階を有し、
上記第１の事前設定期間は第１の時点と第２の時点との間の時間間隔であり、上記第１の時点は上記第１のアイコンに加えられた上記第１の加圧入力の上記圧力値を上記電子デバイスが検出し始める時間であり、上記第１の閾値は上記第３の閾値より大きい、項目１に記載の方法。
（項目４）
上記第２の加圧入力が第２の事前設定条件を満たしていると上記電子デバイスが判定した場合、上記少なくとも１つのショートカット機能のうちデフォルトのショートカット機能を作動させる上記段階は、
上記第２の加圧入力の圧力値が上記第１の事前設定期間内に第２の閾値に達したことを上記電子デバイスが検出した場合、上記少なくとも１つのショートカット機能のうち上記デフォルトのショートカット機能を作動させる段階を有し、
上記第２の閾値は上記第１の閾値より大きい、項目２又は３に記載の方法。
（項目５）
上記第２の加圧入力の圧力値が上記第１の事前設定期間内に第２の閾値に達したことを上記電子デバイスが検出した場合、上記少なくとも１つのショートカット機能のうち上記デフォルトのショートカット機能を作動させる上記段階は、
上記第２の加圧入力の上記圧力値が上記第１の事前設定期間内に上記第２の閾値に達したことを上記電子デバイスが検出した場合、上記第１のアイコンに加えられた上記第２の加圧入力の上記圧力値を第２の事前設定期間の間に上記電子デバイスによって継続して検出する段階と、
上記第２の加圧入力の検出された上記圧力値が上記第２の事前設定期間の間に常に上記第２の閾値より大きい又はそれに等しいと上記電子デバイスが判定した場合、上記少なくとも１つのショートカット機能のうち上記デフォルトのショートカット機能を作動させる段階とを有し、
上記第２の事前設定期間は、第３の時点と第４の時点との間の時間間隔であり、上記第３の時点は上記第２の加圧入力の上記圧力値が上記第２の閾値に達する時間である、項目４に記載の方法。
（項目６）
上記第２の加圧入力が第２の事前設定条件を満たしていると上記電子デバイスが判定した場合、上記少なくとも１つのショートカット機能のうちデフォルトのショートカット機能を作動させる上記段階は、
上記第２の加圧入力の圧力値が第４の閾値に達したことを上記電子デバイスが検出した場合、上記少なくとも１つのショートカット機能のうち上記デフォルトのショートカット機能を作動させる段階を含み、
上記第４の閾値は上記第１の閾値より大きい、項目２又は３に記載の方法。
（項目７）
上記第２の加圧入力の圧力値が上記第１の事前設定期間内に第２の閾値に達したことを上記電子デバイスが検出した場合、上記少なくとも１つのショートカット機能のうち上記デフォルトのショートカット機能を作動させる上記段階は、
上記第２の加圧入力の上記圧力値が第５の閾値より大きい又はそれに等しく且つ上記第４の閾値より小さいことを上記電子デバイスが検出した場合、
上記第１のアイコンに加えられた上記第２の加圧入力の上記圧力値が次の第３の事前設定期間の間に常に上記第５の閾値より大きい又はそれに等しく且つ上記第４の閾値より小さいかどうかを上記電子デバイスによって判定する段階と、
上記第１のアイコンに加えられた上記第２の加圧入力の上記圧力値が上記第３の事前設定期間の間に常に上記第５の閾値より大きい又はそれに等しく且つ上記第４の閾値より小さい場合、上記少なくとも１つのショートカット機能のうち上記デフォルトのショートカット機能を作動させる段階とを有し、
上記第４の閾値は上記第５の閾値より大きい、項目６に記載の方法。
（項目８）
上記第２の加圧入力が第２の事前設定条件を満たしていると上記電子デバイスが判定した場合、上記少なくとも１つのショートカット機能のうちデフォルトのショートカット機能を作動させる上記段階は、
上記第２の加圧入力の圧力値が上記第３の閾値から上記第１の閾値までの範囲に少なくとも２回入り、且つ上記少なくとも２回の間の時間間隔が事前設定された２段階加圧時間条件を満たしていると上記電子デバイスが判定した場合、上記少なくとも１つのショートカット機能のうち上記デフォルトのショートカット機能を作動させる段階を有し、
上記第１の閾値は上記第３の閾値より大きい、項目２又は３に記載の方法。
（項目９）
上記第２の加圧入力が第２の事前設定条件を満たしていると上記電子デバイスが判定した場合、上記少なくとも１つのショートカット機能のうちデフォルトのショートカット機能を作動させる上記段階は、
上記第２の加圧入力の上記圧力値が第６の閾値より小さいと上記電子デバイスが判定した場合、上記第２の加圧入力の上記圧力値を上記電子デバイスによって継続して検出する段階と、
上記第２の加圧入力の上記圧力値が第７の閾値に達したと上記電子デバイスが判定した場合、上記少なくとも１つのショートカット機能のうち上記デフォルト機能を作動させる段階とを有し、
上記第６の閾値は上記第１の閾値より小さく、上記第７の閾値は上記第１の閾値より大きい、項目２又は３に記載の方法。
（項目１０）
上記第１の加圧入力が第１の事前設定条件を満たしていると判定した場合、上記少なくとも１つのショートカット機能に関する情報を上記電子デバイスによって決定する上記段階は、
上記第１の加圧入力の圧力値が第２の閾値より大きい又はそれに等しいかどうかを上記電子デバイスによって判定し、上記第１の加圧入力の上記圧力値が上記第２の閾値より大きい又はそれに等しい場合、上記少なくとも１つのショートカット機能に関する上記情報を決定する段階を有し、
上記第２の加圧入力が第２の事前設定条件を満たしていると上記電子デバイスが判定した場合、上記少なくとも１つのショートカット機能のうちデフォルトのショートカット機能を作動させる上記段階は、
上記第２の加圧入力の圧力値が第４の事前設定期間の間に常に上記第２の閾値より大きい又はそれに等しいかどうかを上記電子デバイスによって判定し、上記第１のアイコンに加えられた上記第２の加圧入力の上記圧力値が上記第４の事前設定期間の間に常に上記第２の閾値より大きい又はそれに等しい場合、上記少なくとも１つのショートカット機能のうち上記デフォルトのショートカット機能を作動させる段階を有する、項目１に記載の方法。
（項目１１）
上記第１の加圧入力が第１の事前設定条件を満たしていると判定した場合、上記少なくとも１つのショートカット機能に関する情報を上記電子デバイスによって決定する上記段階の後に、上記方法はさらに、
上記デフォルトのショートカット機能に関する情報を対象としたマークを表示して、上記少なくとも１つのショートカット機能のそれぞれに関する情報を上記電子デバイスによって上記ディスプレイ装置に表示する段階を備え、これにより、上記デフォルトのショートカット機能に関する上記情報の表示が別のショートカット機能に関する情報の表示とは異なる、項目１から１０のいずれか一項に記載の方法。
（項目１２）
上記デフォルトのショートカット機能に関する情報を対象としたマークを表示する上記段階は、
上記デフォルトのショートカット機能に関する上記情報のみに上記電子デバイスによってマークアイコンを追加する段階を有し、
上記少なくとも１つのショートカット機能のそれぞれに関する情報を上記電子デバイスによって上記ディスプレイ装置に表示する上記段階の後に、上記方法はさらに、
ユーザが上記マークアイコンの位置を変更したことを上記電子デバイスが検出した場合、変更された上記マークアイコンの位置に対応するショートカット機能を上記デフォルトのショートカット機能と判定する段階を備える、項目１１に記載の方法。
（項目１３）
電子デバイスであって、上記電子デバイスは、ディスプレイ装置と、感圧面と、センサと、プロセッサとを備え、少なくとも１つのアイコンが上記ディスプレイ装置に表示され、少なくとも１つのショートカット機能が上記少なくとも１つのアイコンのうち第１のアイコンによってマークされた第１のソフトウェアプログラム用に事前設定され、
上記センサは、上記第１のアイコンに加えられた加圧入力を上記感圧面で検出するように構成され、
上記プロセッサは、上記センサによって検出された上記第１の加圧入力が第１の事前設定条件を満たしていると判定した場合、上記少なくとも１つのショートカット機能に関する情報を決定し、第２の加圧入力が第２の事前設定条件を満たしていると判定した場合、上記少なくとも１つのショートカット機能のうちデフォルトのショートカット機能を作動させるように構成され、上記第２の加圧入力は、上記第１の加圧入力の後に上記第１のアイコンに加えられ、上記センサによって検出される加圧入力である、電子デバイス。
（項目１４）
上記プロセッサは具体的に、
上記第１の加圧入力の圧力値が第１の事前設定期間内に第１の閾値に達した場合、上記少なくとも１つのショートカット機能に関する上記情報を決定するように構成され、
上記第１の事前設定期間は第１の時点と第２の時点との間の時間間隔であり、上記第１の時点は上記第１のアイコンに加えられた上記第１の加圧入力の上記圧力値を上記センサが検出し始める時間である、項目１３に記載の電子デバイス。
（項目１５）
上記プロセッサはさらに具体的に、
上記第１の加圧入力の圧力値が第１の事前設定期間内に第３の閾値から第１の閾値までの範囲に少なくとも２回入ったと判定した場合、上記少なくとも１つのショートカット機能に関する上記情報を決定するように構成され、
上記第１の事前設定期間は第１の時点と第２の時点との間の時間間隔であり、上記第１の時点は上記第１のアイコンに加えられた上記第１の加圧入力の上記圧力値を上記センサが検出し始める時間であり、上記第１の閾値は上記第３の閾値より大きい、項目１３に記載の電子デバイス。
（項目１６）
上記プロセッサはさらに具体的に、
上記第２の加圧入力の圧力値が上記第１の事前設定期間内に第２の閾値に達したことを上記センサが検出した場合、上記少なくとも１つのショートカット機能のうち上記デフォルトのショートカット機能を作動させるように構成され、
上記第２の閾値は上記第１の閾値より大きい、項目１４又は１５に記載の電子デバイス。
（項目１７）
上記プロセッサは具体的に、上記第２の加圧入力の上記圧力値が上記第１の事前設定期間内に上記第２の閾値に達したことを上記センサが検出した場合、上記第１のアイコンに加えられた上記第２の加圧入力の上記圧力値を第２の事前設定期間の間に継続して検出し、上記センサによって検出された上記第２の加圧入力の上記圧力値が上記第２の事前設定期間の間に常に上記第２の閾値より大きい又はそれに等しいと判定した場合、上記少なくとも１つのショートカット機能のうち上記デフォルトのショートカット機能を作動させるように構成され、上記第２の事前設定期間は第３の時点と第４の時点との間の時間間隔であり、上記第３の時点は上記第２の加圧入力の上記圧力値が上記第２の閾値に達する時間である、項目１６に記載の電子デバイス。
（項目１８）
上記プロセッサはさらに具体的に、
上記第２の加圧入力の上記圧力値が第４の閾値に達したことを検出した場合、上記少なくとも１つのショートカット機能のうち上記デフォルトのショートカット機能を作動させるように構成され、
上記第４の閾値は上記第１の閾値より大きい、項目１４又は１５に記載の電子デバイス。
（項目１９）
上記プロセッサはさらに具体的に、
上記第２の加圧入力の上記圧力値が第５の閾値より大きい又はそれに等しく且つ上記第４の閾値より小さいことを検出した場合、
上記第１のアイコンに加えられた上記第２の加圧入力の上記圧力値が次の第３の事前設定期間の間に常に上記第５の閾値より大きい又はそれに等しく且つ上記第４の閾値より小さいかどうかを判定し、
上記第１のアイコンに加えられた上記第２の加圧入力の上記圧力値が上記第３の事前設定期間の間に常に上記第５の閾値より大きい又はそれに等しく且つ上記第４の閾値より小さい場合、上記少なくとも１つのショートカット機能のうち上記デフォルトのショートカット機能を作動させるように構成され、
上記第４の閾値は上記第５の閾値より大きい、項目１８に記載の電子デバイス。
（項目２０）
上記プロセッサはさらに具体的に、
上記第２の加圧入力の圧力値が上記第３の閾値から上記第１の閾値までの範囲に少なくとも２回入り、且つ上記少なくとも２回の間の時間間隔が事前設定された２段階加圧時間条件を満たしていると上記電子デバイスが判定した場合、上記少なくとも１つのショートカット機能のうち上記デフォルトのショートカット機能を作動させるように構成され、
上記第１の閾値は上記第３の閾値より大きい、項目１４又は１５に記載の電子デバイス。
（項目２１）
上記プロセッサはさらに具体的に、
上記第２の加圧入力の上記圧力値が第６の閾値より小さいと判定した場合、上記センサによって検出された上記第２の加圧入力の上記圧力値を継続して判定し、上記第２の加圧入力の上記圧力値が第７の閾値に達したと判定した場合、上記少なくとも１つのショートカット機能のうち上記デフォルト機能を作動させるように構成され、
上記第６の閾値は上記第１の閾値より小さく、上記第７の閾値は上記第１の閾値より大きい、項目１３又は１４に記載の電子デバイス。
（項目２２）
上記プロセッサはさらに具体的に、
上記第１の加圧入力の圧力値が第２の閾値より大きい又はそれに等しいかどうかを判定し、上記第１の加圧入力の上記圧力値が上記第２の閾値より大きい又はそれに等しい場合、上記少なくとも１つのショートカット機能に関する上記情報を決定し、
上記第２の加圧入力の圧力値が第４の事前設定期間の間に常に上記第２の閾値より大きい又はそれに等しいかどうかを判定し、上記第１のアイコンに加えられた上記第２の加圧入力の上記圧力値が上記第４の事前設定期間の間に常に上記第２の閾値より大きい又はそれに等しい場合、上記少なくとも１つのショートカット機能のうち上記デフォルトのショートカット機能を作動させるように構成される、項目１３に記載の電子デバイス。
（項目２３）
上記プロセッサはさらに、
上記第１の加圧入力が第１の事前設定条件を満たしていると判定した場合、上記少なくとも１つのショートカット機能に関する上記情報を決定した後に、上記少なくとも１つのショートカット機能のそれぞれに関する情報を、上記デフォルトのショートカット機能に関する情報を対象としたマークを表示して、上記ディスプレイ装置に表示するように構成され、これにより、上記デフォルトのショートカット機能に関する上記情報の表示が別のショートカット機能に関する情報の表示とは異なる、項目１３から２２のいずれか一項に記載の電子デバイス。
（項目２４）
上記プロセッサはさらに、上記デフォルトのショートカット機能に関する上記情報だけにマークアイコンを追加し、上記少なくとも１つのショートカット機能のそれぞれに関する上記情報が上記ディスプレイ装置に表示された後に、ユーザが上記マークアイコンの位置を変更したことを上記センサが検出した場合、変更された上記マークアイコンの位置に対応するショートカット機能を上記デフォルトのショートカット機能と決定するように構成される、項目２３に記載の電子デバイス。
（項目２５）
電子デバイスのグラフィカルユーザインタフェースであって、上記電子デバイスは、ディスプレイ装置と、感圧面と、メモリと、上記感圧面でタッチの強度を検出するように構成された１つ又は複数のセンサと、上記メモリに格納された１つ又は複数のプログラムを実行するように構成された１つ又は複数のプロセッサとを備え、上記グラフィカルユーザインタフェースは、
少なくとも１つのアイコンであって、少なくとも１つのショートカット機能が、上記少なくとも１つのアイコンのうち第１のアイコンでマークされた第１のソフトウェアプログラム用に事前設定される、少なくとも１つのアイコンを備え、
これにより、上記感圧面で検出された第１の加圧入力に応答し、上記第１の加圧入力が上記感圧面で検出された後の第２の加圧入力に応答し、上記第１の加圧入力では、上記第１のアイコンに対応するタッチの強度が第１の事前設定条件に増加した場合、上記第１のアイコン用に事前設定された上記少なくとも１つのショートカット機能が表示され、上記第２の加圧入力では、上記第１のアイコンに対応する上記タッチの上記強度が第２の事前設定条件を満たしている場合、上記少なくとも１つのショートカット機能のうちデフォルトのショートカット機能に対応するインタフェースが表示される、グラフィカルユーザインタフェース。
【国際調査報告】
2019508818.tif 000013
2019508818.tif 000014
2019508818.tif 000015
2019508818.tif 000016